(57)【特許請求の範囲】
【請求項１】
利用者がコンピューター装置のキーボードから生年月日及び性別を入力し、利用者のコンピューター装置からインターネットを介して提供者のホストコンピューターに送る入力手段と、前記入力手段で入力された生年月日を、ホストコンピュータの中央演算処理装置が、生年、生月及び生日に分け、生年月日が節分の日の前後いずれになるのかで生年が前年に属するか後年に属するかを判断し、また、生年月日が月毎にある節入り日の前後のいずれかになるかで生月がどの月に属するかを判断し、前記入力手段で入力された性別を考慮した上で、予めホストコンピュータの記憶装置に保存された万年暦と照合することにより、生年、生月及び生日を、年干支、月干支及び日干支に変換して干支を得る陰占、
前記陰占で変換した年干支、月干支及び日干支を、ホストコンピュータの中央演算処理装置が、予めホストコンピュータの記憶装置に保存された十大主星早見表及び十二大従星早見表を使用して星に変換し、性格や才能を体の一部の名称に置き換える陽占、
並びに前記陰占で変換した干支及び前記陽占で変換した星の組み合わせを、前記入力手段で入力された性別を考慮した上で、ホストコンピュータの中央演算処理装置が、予め記憶装置に保存されたマップを基に、生まれた日から次の節入り日までの日数を使用する正順又は前の節入り日から生まれた日までの日数を使用する逆順により、割り出した１０年ごとの運勢である大運からなる個人データをホストコンピュータの記憶装置に蓄積し、予め記憶装置に保存されたテキストデータである鑑定結果と照合して運命や相性を判定する鑑定手段と、前記鑑定手段の結果であるテキストデータ及び結果を波状に表現したバイオリズムを、提供者のホストコンピューターからインターネットを介して利用者のコンピューター装置に送り、コンピューター装置のディスプレイ又はプリンターのいずれかに出力する出力手段とからなることを特徴とする算命学占いシステム。
【発明の詳細な説明】
【０００１】
【産業上の利用分野】
本発明は、占いである算命学の鑑定を、占いの情報を提供する提供者側から占いを利用する利用者へ、利用者がインターネットの通信回線を介し生年月日、性別の入力項目から鑑定結果を提供できる占い装置及び占い方法に関する改良発明である。
【０００２】
算命学とは、中国古来の占い方法の一種であり、人間の運命と宿命を生年月日から予測し、解析する学問である。
【０００３】
【従来の技術】
従来の「占い装置」の発明は、公開特許公報昭５９年−２４３６２に記載された「占い装置」のように、運勢を占うべく予め設置された占い手順を記憶する手段と、運勢を占うために情報を入力するキー入力手段と、占い手順に従って演算を行う演算手段と、演算結果を表示する表示盤とを備えていることを特徴とする占い装置であった。
【０００４】
【発明が解決しようとする課題】
しかしながら、従来の「占い装置」は、装置の内部の記憶部に含まれた占いの種類も少なかった。例えば、相性占い等数種類に限定されていため、より多くの人と相性を判断したい場合、相性のみならず、今日の運勢のように毎日でも変わる時期の影響によっても変化する占いを希望しても占うことができなかった。
【０００５】
また、利用者が従来の「占い装置」以上により正確な鑑定を依頼したい場合、算命学の鑑定士がいる鑑定所や、占い装置の設置された場所に利用者が直接赴かなければ、算命学のより正確な鑑定を受けることができないことは問題であった。
【０００６】
更に、算命学占いシステムの鑑定結果を導くためには、生年月日に応じて多くの年度の万年暦を使用しなければならず、複雑な計算式である陰占、陽占とから導き出した命式と大運を演算する命式・大運が必要となり、命式・大運から算命学占いの鑑定結果を簡潔にまとめ、かつ、精度の高い鑑定結果として利用者へ提供することが非常に困難であった。
【０００７】
そこで、本発明である算命学占いシステムでは、占いの種類を算命学（登録商標）とし、従来装置である「占い装置」のように数種類程度に限定せず、算命学の鑑定を受けるために、利用者自ら赴かなくてもよい極めて利便性の高い算命学の占いシステムとした。
【０００８】
【課題を解決するための手段】
本発明は、上記の課題を解決するために、利用者がコンピューター装置のキーボードから生年月日及び性別を入力し、利用者のコンピューター装置からインターネットを介して提供者のホストコンピューターに送る入力手段と、前記入力手段で入力された生年月日を、ホストコンピュータの中央演算処理装置が、生年、生月及び生日に分け、生年月日が節分の日の前後いずれになるのかで生年が前年に属するか後年に属するかを判断し、また、生年月日が月毎にある節入り日の前後のいずれかになるかで生月がどの月に属するかを判断し、前記入力手段で入力された性別を考慮した上で、予めホストコンピュータの記憶装置に保存された万年暦と照合することにより、生年、生月及び生日を、年干支、月干支及び日干支に変換して干支を得る陰占、前記陰占で変換した年干支、月干支及び日干支を、ホストコンピュータの中央演算処理装置が、予めホストコンピュータの記憶装置に保存された十大主星早見表及び十二大従星早見表を使用して星に変換し、性格や才能を体の一部の名称に置き換える陽占、並びに前記陰占で変換した干支及び前記陽占で変換した星の組み合わせを、前記入力手段で入力された性別を考慮した上で、ホストコンピュータの中央演算処理装置が、予め記憶装置に保存されたマップを基に、生まれた日から次の節入り日までの日数を使用する正順又は前の節入り日から生まれた日までの日数を使用する逆順により、割り出した１０年ごとの運勢である大運からなる個人データをホストコンピュータの記憶装置に蓄積し、予め記憶装置に保存されたテキストデータである鑑定結果と照合して運命や相性を判定する鑑定手段と、前記鑑定手段の結果であるテキストデータ及び結果を波状に表現したバイオリズムを、提供者のホストコンピューターからインターネットを介して利用者のコンピューター装置に送り、コンピューター装置のディスプレイ又はプリンターのいずれかに出力する出力手段とからなることを特徴とする算命学占いシステム。
【０００９】
【実施例】
本発明である算命学占いシステムで使用する文言の定義の説明を行う。算命学（登録商標）占いとは、利用者の生年月日と性別を入力することで、人間の宿命を説き運命を予測する占いである。算命学の基礎を構成するものとして５行陰陽説と１０干１２支がある。
【００１０】
また、生年月日を入力するには、キーボードを使用する入力手段と、入力手段で入力した生年月日がホストコンピューターに送られ、ホストコンピューターに蓄積された個人データを付き合わせることで自動的に判定（鑑定）７がされる。
【００１１】
判定（鑑定）が行われた後、占いの結果である文字からなるテキストデータである鑑定結果を表示（鑑定）９し、結果表示（鑑定）９した文字を利用者がプリンター等へ出力できる出力手段とからなることを特徴とする。特に、鑑定手段が本発明の構成要件である。
【００１２】
鑑定手段とは、陰占、陽占、大運からなる。鑑定手段を構成する陰占とは、本発明の利用者が入力した生年月日及び性別から万年暦を使用し、１０干１２支に自動的に変換するための演算手段である。なお、「１０干１２支」にそのまま変換した生年月日等は以下命式という。
【００１３】
万年暦（簡易暦）とは、西暦１８７３年（明治６年）から日本で使用されている「グレゴリオ暦」を記憶部に予め入力し、将来の万年暦も算出できるようにしたものである。「グレゴリオ暦」は１月、３月、５月、７月、８月、１０月、１２月の場合は３１日、４月、６月、９月、１１月は各月３０日、２月は平年２８日、閏年の場合は２９日である。閏年は、西暦年が４で割り切れる年である。
【００１４】
本発明である算命学占いシステムの出力手段で用いる鑑定結果には、生年月日を使用し占うために干支や星に置き換える「命式」を使用する。命式とは陰占で陰占表を出力する際に必要とする演算式であり、生年月日を干支等に変換する。なお、提供者のホストコンピューターの記憶部に予め入力されている。命式で演算し得た結果は、年（以下年干支という）、月（以下月干支という）、日（以下日干支という）からなり、一覧表にしたのが陰占表である。
次に、陰占表を構成する５行陰陽説と１０干と１２支を説明する。
【００１５】
５行陰陽説とは、中国古来の説に鑑みたもので宇宙の万物は、五行を構成する木性、火性、土性、金性、水性からなる。５行は各方位にも対応している。具体的には、木性→東方、火性→南方、土性→中央、金性→西方、水性→北方である。１０干は、各５行に表裏の関係である陰陽の関係を関連つけて示した。１２支とは、周知の干支である亥、子、丑、寅、卯、辰、巳、午、未、申、酉、戌である。次に、添付図面に基づいて本発明である算命学を詳細に説明する。
【００１６】
図１及び図２は、本発明である算命学占いシステムのシステム全体の流れ図及びシステム全体の詳細の流れ図である。図３は、算命学占いシステムの入力手段を行う際のメニュー画面である。図４及び図５は、算命学占いシステムの鑑定結果表１及び鑑定結果表２である。図６は、算命学占いシステムで命式から求めたマップ／セルである。
【００１７】
また、図７〜図１４は鑑定手段を構成する陰占の演算の流れを示した正面図、
図１５〜図２２は鑑定手段を構成する陽占の演算の流れを示した正面図、図２３〜図３４は鑑定手段を構成する陰占、陽占から導き出した大運を演算する際に用いる演算の流れを示した正面図である。以下、図１〜図６と図７〜図３４に分けて詳細を説明する。
【００１８】
図１は、本発明である算命学占いシステム１全体の流れ図である。図１の上部に示したように本発明である算命学占いシステム１を利用する者は、占いを利用し生年月日を入力し、入力手段を構成する利用者２と、ホストコンピュータを備え鑑定手段を構成する個人データ６や判定７に基づき予め蓄積されたテキストデータ８との照合を行い出力手段である鑑定結果のテキストデータ（ファイル）の出力・表示９を提供できる提供者３とからなる。
【００１９】
利用者２は、利用者２が使用しているコンピューター装置から提供者３のホストコンピューターへインターネット等の通信回線を介し、提供者３が提供している算命学占いシステム１の特定のＵＲＬアドレスまでアクセスすることができる。利用者２が、提供者３のホストコンピューターにアクセスし、生年月日等を入力する前の段階である算命学占いシステム１の「ＭＥＮＵ画面の送信」を受けることができる。即ち、ＳＴＡＲＴ４である。
【００２０】
図１に示したように、利用者２は、ＳＴＲＴ４から入力手段、鑑定手段、出力手段の順に沿って算命学占いシステム１の占いの鑑定結果を得ることができる。入力手段では、生年月日、性別入力５をする。
【００２１】
本発明では入力手段に続いて、鑑定手段を構成することができる。鑑定手段とは、提供者３のホストコンピューター内部で行う手段である。個人データ６との照合の後に、判定（鑑定）７も自動で行われ、更に判定（鑑定）７した結果に基づきテキストデータ８の提供が行われ、最終的に出力手段を構成する鑑定結果のテキストデータ（ファイル）の出力・表示９、ＥＮＤ１０の順となり算命学占いシステム１が終了する。
【００２２】
尚、個人データ６とは、入力手段である生年月日に基づいて得る提供者３のホストコンピューターのデータである。ホストコンピューターに蓄積された個人データ６を付き合わせることで過去、同じデータと一致するかどうか照合し、判定７することができる。
【００２３】
図１に示したテキストデータ８とは、判定（鑑定）７した後に算命学の占いの結果である鑑定結果をディスプレイ等に鑑定結果のテキストデータ（ファイル）の出力・表示９を出力する文字データである。文字データを出力することで、算命学の占いの鑑定結果を出力できる。なお、具体的手段として陰占、陽占、大運がある。次に、図２に従い図１の詳細である入力手段、鑑定手段、出力手段を説明する。
【００２４】
図２は、本発明である算命学占いシステム全体の流れ図（詳細）を示した図である。図２に示したように、算命学占いシステム１は、ＳＴＲＴ４にてホストコンピューターにアクセスすることから始める。入力手段を構成するのは、ＭＥＮＵ画面の送信４ｂ、ＭＥＮＵ画面の受信４ｃ、ＭＥＮＵの選択４ｄ、占い鑑定をする４ｅ、課金回線に入る４ｆ、課金回線に入らない４ｇ、案内等のテキストデータ受信４ｈ、名前の入力４ｉ、生年月日・性別の入力５、入力項目が正しいかどうか５ａの判断である。
【００２５】
案内等のテキストデータ受信４ｈ時は、課金回線に入る４ｆ、課金回線に入らない４ｇ等の文字データをホストコンピューター側である、提供者３から利用者２に送信される仕組みである。
【００２６】
また、鑑定手段を構成するのは、陰占、陽占、大運等５ｂ、個人データの照合６、判定（鑑定）７、課金回線から出る７ａ、判定結果のテキストデータを送信８ａ、判定結果のテキストデータを受信８ｂである。
【００２７】
出力手段を構成するのは、判定結果のテキストデータ取り込み８ｃ、判定結果のテキストデータの出力・表示９、ＥＮＤ１０である。判定結果のテキストデータ取り込み８ｃに使用するテキストデータとは、図１に示したテキストデータ８と同じ文字からなるデータである。次に、各手段を構成する各項目に従い説明する。
【００２８】
図２に示したように、入力手段とは、利用者２が算命学占いシステム１で占いを行う場合、利用者２のコンピューターのディスプレイ上に表示されたＳＴＡＲＴ４ボタンからホストコンピューターにアクセス４ａし、アクセスの後入力手段であるホストコンピューターから本発明である算命学占いシステム１のＭＥＮＵ画面の送信４ｂを利用者２が受ける。利用者２は、提供者３から送信されたＭＥＮＵ画面の受信４ｃを受けた後、利用者２が使用するコンピューター装置内部のハードディスク等に読み込み記録することができる。
【００２９】
次に、鑑定手段の流れを説明する。利用者２は、ＭＥＮＵの受信４ｃを行った後、一同に表記された占いたい項目の中からＭＥＮＵの選択４ｄができる。
本発明である算命学占いシステム１のホームページ上には、ＭＥＮＵの選択４ｄの項目として、「算命学とは」、「算命学の歴史」等の複数の項目が表示され、その表示された項目を利用者２が選択する。ホームページ上に表示されたＭＥＮＵの選択４ｄには、算命学占いシステム１の申し込み方法等を記載した「占い鑑定をする４ｅ」も表示されている。
【００３０】
「占い鑑定をする４ｅ」では、利用者２が占いの鑑定を利用するか否か選択することができ、占いの鑑定を利用する場合には課金回線に入る４ｆへ、占いを利用しない場合には課金回線に入らない４ｇへと移動する。
【００３１】
課金回線に入らない４ｇ場合とは、利用者２が算命学の占い料金を確認し、占いの鑑定を行わないことを指す。課金回線に入る４ｆ場合とは、前記利用者２が料金を確認し占い鑑定を行うことを意味する。利用者２は、課金回線に入らない４ｇを選択した場合、ホームページ上に記載された案内等のテキストデータ（ファイル）の受信４ｈをし、ＭＥＮＵの選択４ｄ画面へと戻る。
【００３２】
課金回線に入る４ｆを選択した場合、利用者２は、鑑定結果を導き出すために、算命学占いシステム１のホームページ上に名前の入力４ｉ、生年月日・性別の入力５を行う。利用者２は、生年月日・性別の入力５を行った後、「占う」と記載されたボタンを押す。前記ボタンが押された際、提供者３のホストコンピュータでは、利用者２の生年月日・性別の入力５の記載に間違いがないか否かを判断し、確認する。入力事項が正しければ、陰占、陽占、大運等５ｂの鑑定手段によって演算し、出力手段を構成する鑑定結果を利用者２に送信することができる。入力事項に誤りがあれば、再度、利用者２に生年月日・性別の入力５を行ってもらう。
【００３３】
図２に示したように、本発明である算命学占いシステム１の中心となる鑑定手段を構成するのは、陰占、陽占、大運等５ｂである。
陰占とは、生年月日や性別をもとに万年暦を使用し干支に変換する演算手段である。
陽占とは、十大主星早見表と十二大従星早見表を使用し星に置き換える演算手段である。
大運とは、陰占、陽占の星の組み合わせとして導き出した個人データに対し、一定の年齢を基準に１０年ごとの運勢を演算した数値である。例えば、年齢の基準を１歳とした場合、１１歳、２１歳・・・８１歳と各１０年毎の運勢を示すことができる。
【００３４】
陰占、陽占、大運等５ｂの後に、個人データ（ファイル）の照合６を行う。個人データ（ファイル）の照合６とは、提供者３側の記憶装置に個人データ（ファイル）を蓄積し照合することである。前記個人データ（ファイル）の照合６を行うことにより利用者２の鑑定の精度も高まり、より正確な鑑定結果を判定７し、判定したテキストデータ８から鑑定結果のテキストデータ（ファイル）の出力・表示９し、プリンター等で出力した後にＥＮＤ１０となる。
【００３５】
判定（鑑定）７とは、鑑定表示手段から演算し、各種演算手段に含まれる命式・大運から「中心星で見るあなたの本質」等の算命学の鑑定結果を演算することができる。判定（鑑定）７が終了した時点で、課金回線から出る７ａことができる。
【００３６】
課金回線から出た７ａ後、提供者３はホストコンピューターから、鑑定結果のテキストデータ（ファイル）を送信８ａし、利用者２はコンピュータ装置で鑑定結果のテキストデータ（ファイル）を受信８ｂし、コンピューター装置内部の記憶装置に鑑定結果のテキストデータ（ファイル）を取り込む８ｃ。記憶装置とは、ハードディスクやフロッピー等の磁気記録媒体である。次に、出力手段を説明する。
【００３７】
図２に示したように、出力手段とは、鑑定結果のテキストデータ（ファイル）取り込み８ｃが終了した時点で、鑑定結果のテキストデータ（ファイル）の出力・表示９を行うことである。鑑定結果のテキストデータ（ファイル）の出力・表示９とは、印字装置であるプリンターで、占いの結果を表記したテキストデータ（ファイル）を紙等に出力することである。
【００３８】
鑑定結果のテキストデータ（ファイル）の出力・表示９の後、本発明である算命学占いシステム１の課金回線の利用が終了したことを表示したＥＮＤ１０となる。しかし、利用者２は、本発明である算命学の「鑑定の申し込み」のＭＥＮＵの選択４ｅに戻り、再度、利用することが可能である。次に、図３、図４及び図５について説明をする。
【００３９】
図３は、本発明である算命学占いシステムの入力手段を行う際のメニュー画面を示した図である。図３に示したように、ＭＥＮＵ画面の送信４ｂにより提供者３のホストコンピューターから、利用者２のコンピューター装置まで、インターネット等の通信回線を介して本発明である算命学占いシステム１の出力手段を構成し各項目等を示す「表紙」１１である。
【００４０】
図３に示した表紙１１は、出力手段を構成する。表紙１１の上部には、タイトル及び料金を示したタイトル課金項目１１ａが示されている。タイトル課金項目１１ａは、主に文字が記載されている。記載されている文字は、「算命学占星術〜人生鑑定〜  特別人生鑑定  大運鑑定〜あなたの人生は決められている〜大運鑑定（￥２０００）」である。
【００４１】
表紙１１の中段には、本発明である算命学占いシステム１で占うことができる占い項目１１ｂを示したものである。占い項目１１ｂは、１２項目から構成したものである。
【００４２】
占い項目１１ｂとは、本発明である算命学占いシステム１で鑑定できる鑑定項目である。占い項目１１ｂは（１．）〜（１２．）からなり、次項目に示した名称及び内容は（１．）〜（１２．）に記載した内容を限定列挙するものではない。なお、提供者３は、算命学占いシステム１の各項目の占いの利用度に応じて（１．）から（１２．）の項目ごとに、利用者２が入力する生年月日・性別の入力５やその他の項目の記述内容を自由に設定変更することができる。
【００４３】
次に、占い項目１１ｂの内容について示す。（１．）中心星で見るあなたの本質、（２．）自然法によるイメージ、（３．）青年期の運勢、（４．）中年期の運勢、（５．）晩年期の運勢、（６．）結婚について、（７．）健康について、（８．）守護方位、守護色について、（９．）親、上司について、（１０．）配偶者について、（１１．）兄弟、友人について、（１２．）年代別大運鑑定の１２項目からなる。
【００４４】
次に、表紙１１の下部に示した入力項目１１ｃについて説明する。入力項目１１cは、算命学占いシステム１で鑑定結果を算出するために、利用者２が入力手段によって生年月日・性別の順に入力する入力項目の内容を示す。
【００４５】
生年月日は、その構成する年を４桁の数字である西暦ＹＹＹＹ年の数字をコンピューターのキーボードで選択し入力を行う。月の入力は、１〜１２月からなり、日の入力は１〜３１日までの数字を入力できる。性別は、男性、女性のいずれかを利用者２が選択する。なお、生年月日・性別は必要記載事項とする。
【００４６】
図３に示した表紙１１の最下部には「占う」と示したボタン１１ｄがある。ボタン１１ｄは、利用者２のコンピューター装置内に接続したディスプレイに表示したものである。ボタン１１ｄは、タイトル課金項目１１ａに利用者２が承諾・合意の上押す事ができ、かつ表紙１１の占い項目１１ｂを選択した後に押すことができるボタンである。
【００４７】
図４及び図５は、算命学占いシステムの鑑定手段に基づいて算出した鑑定結果を出力手段で出力するための様式を示したである。その様式とは、第１鑑定結果表１２と第２鑑定結果表１３である。
【００４８】
図４の上部に示したように、第１鑑定結果表１２には、タイトル１２ａとして「算命学占星術〜人生鑑定〜」と表示することができる。なお、提供者３は、タイトル１２ａの文言の内容等を自由に変更することができる。また、図４の第１鑑定結果表１２の中部に示したように、鑑定手段を構成する大運の鑑定結果をバイオリズム１２ｂとして波状に表示することができる。
【００４９】
バイオリズム１２ｂは、横軸に大運年齢、縦軸には命数（点数）を示したものである。バイオリズム１２ｂ表示方法は、利用者２の運気を波状の線で表す。第１鑑定結果表１２の下部に示した「あなたの主星表」１２ｃは、自分が最も運のよい時期や運が悪い時期を予測するために利用者２が対処できるよう設けたものである。即ち、利用者２が、最も運の良い時期や運が悪い時期を予測し、対処できるよう設けたものである。
【００５０】
図５は、本発明である算命学占いシステムの第２鑑定結果表である。図５に示したように、第２鑑定結果表１３の上部には、利用者２が入力手段で入力した氏名、生年月日、性別を表示した入力項目１４と、鑑定手段を構成する陰占表１５、陽占表１６がある。入力項目１４は、図３で示した入力項目１１ｃと同一である。
【００５１】
また、図５の中部には、利用者２が入力項目１１ｃに従って演算した場合に陰占表１５及び陽占表１６が一覧できるよう表示した。陰占表１５は、３行５列の枠内に生年月日・性別から得た干支で置き換え演算した結果を示すことができ、一方、陰占表１５の左隣には、陽占表１６が３行３列の枠内に陰占表１５で得た生年月日、性別の干支を星に置き換え演算した結果を表示したものである。
【００５２】
即ち、陰占表１５が本発明である算命学占いシステム１の陰占を構成し、陽占表１６が本発明である算命学占いシステム１の陽占を構成する。なお、陰占表１５の下部には、天中殺１７を表示する。
【００５３】
第２鑑定結果表１３の下部には、図４のバイオリズム１２ｂから得た鑑定結果である大運１８が文章により表示される。本発明である算命学占いシステム１での大運１８は、陰占、陽占の星の組み合わせとして導きだした個人データ（ファイル）に対し、利用者２の今現在の年齢から将来にかけた各年代ごとの運勢を演算し文言として示すことができる。
【００５４】
大運１８には、単に生年月日から現在又は将来まで一般的に言われている１０年毎に年数を区切り文言を示す。一般的に言われている１０年毎に年数を区切り、単に生年月日から現在又は将来までの文言を示すが、大運１８は演算する際に順と逆順という順序等に基づいて演算する。
【００５５】
第２鑑定結果表１３の最下部に記載したアドバイス欄１９は、大運１８の鑑定結果に基づいて、より具体的な項目に沿ってアドバイスを表示するものである。例えば、アドバイスとは、恋愛の相手との相性を鑑定結果として表示された場合、利用者２がどのように行動すればよいのか等が表示される。したがって、従来の「占い装置」は、装置の内部の記憶部に含まれた占いの種類も限定されていたが、本発明である算命学占いシステム１では、毎日変わる時期で変化する占いも相性占いと同時に本発明である算命学占いシステム１で占うことができる。
【００５６】
図６は、本発明である算命学占いシステムで使用した生年月日・性別から求めたセル図である。このセル図２０により、本発明である算命学占いシステム１の出力手段を構成する鑑定結果を導くことができる。
【００５７】
図６に示したように、セル図２０は、本発明である算命学占いシステム１の中心で鑑定手段の中心でもある。なお、セル図２０は、利用者２に公表することはない。図４及び図５に示した第１鑑定結果表１２及び第２鑑定結果表１３は
セル図２０によって導きだした表である。
【００５８】
セル図２０は、縦項目にセル番号、項目、利用者２の順に記載され、横項目に１〜１１７の連番でセル番号が付されている。以下、本発明である算命学占いシステム１の鑑定手段を構成する陰占と陽占に基づいた結果と、大運１８から基づいた結果をセル番号毎に区分し詳細を説明する。
【００５９】
図６のセル図２０に示したセル番号とは、各項目の最上部に示した連番である。セル番号の下に示した利用者２は、生年月日を干支や星に置き換え、更に性別毎に区分し、本例であるアドバイス等を導く番号である。次に、鑑定手段を構成する陰占、陽占、大運ごとに各セル番号を分け詳細を説明する。
【００６０】
鑑定手段を構成する陰占は、利用者２が入力した生年月日・性別から日付２０ａ、陰占２０ｂ、天中殺２０ｃを基に干支に置き換えられ、一方、陽占では、陰占で干支に置き換えられた日付２０ａと、陰占２０ｂと、天中殺２０ｃを基に陽占２０ｄの星に置き換え個人データ（ファイル）として構成されたものである。
【００６１】
また、鑑定手段を構成する大運１８は、陰占の干支及び陽占の星の組み合わせとして導き出した個人データ（ファイル）に対し、逆順男２０ｅ、大運の年齢２０ｆ、干支２０ｇ、主星（十大主星）２０ｈ、従星（十二大従星）２０ｉ、逆順女２０ｊ、逆年齢２０ｋ、逆干支２０ｌ、逆主星２０ｍ、逆従星２０ｎ、５行２０ｏ、出会い２０ｐ、恋愛２０ｑ、結婚２０ｒの個人データをホストコンピューターの個人データに照合し、加えた上で再度構成したものである。なお、逆順男２０ｅ〜従星２０ｉと、逆順女２０ｊ〜逆従星２０ｎに示したように利用者２が入力手段で入力した性別を男性と女性に分ける事ができる。
【００６２】
図６のセル図２０に示したセル番号１は、利用者２が入力手段によって入力した生年月日・性別の入力５を西暦である数字で表示した日付２０ａである。セル番号２〜セル番号１６は、セル番号１に記載した生年月日を干支で変換し示した陰占２０ｂである。セル番号１７は、天中殺２０ｃを示した。セル番号１８〜セル番号２５は、陽占２０ｄを示した。
【００６３】
セル番号２６は、逆順男２０ｅ、セル番号２７からセル番号３５までは大運の年齢２０ｆ、セル番号３６からセル番号４４までが干支２０ｇ、セル番号４５〜セル番号５３が主星２０ｈ、セル番号５４〜セル番号６２は従星２０ｉである。次に、主星２０ｈと従星２０ｉの関係について説明をする。
【００６４】
大運の主星２０ｈは、以下十大主星という。十大主星２０ｈは、鑑定手段を構成する陰占の陰占表で、利用者２の生年月日のうち日を干支に変換した日干に対し６０％の影響を及ぼす星である。図６に示したセル図２０は、セル番号で示した場合、セル番号５とセル番号７から導くことができる。
【００６５】
なお、本発明である算命学占いシステム１の鑑定手段を構成する陽占２０ｄは、利用者２の性格や才能を、利用者２の体の一部の名称に置き換えることができる星である。十大主星２０ｈは、貫索星、石門星、鳳閣星、調舒星、禄存星、司禄星、車騎星、牽牛星、龍高星、玉堂星からなる。
【００６６】
大運の従星２０ｉは、以下、十二大従星という。十二大従星２０ｉは、鑑定手段を構成する陰占の陰占表で、利用者２の生年月日のうち日を干支に変換した日干に対し６０％の影響を及ぼす星である。図６のセル図２０は、セル番号６とセル番号７から導くことができる。
【００６７】
なお、本発明である算命学占いシステム１の鑑定結果で利用者２の性格や才能を、利用者２の体の一部の名称に置き換えて示す星である。従星２０ｉである十二大従星は、天報星、天印星、天貴星、天恍星、天南星、天禄星、天将星、天堂星、天胡星、天極星、天庫星、天馳星からなる。
【００６８】
セル番号６３は、逆順女２０ｊ、セル番号６４〜セル番号７２は逆年齢２０ｋ、セル番号７３〜セル番号８１は逆干支２０ｌである。セル番号８２〜セル番号９０は逆主星２０ｍを示し、セル番号９１〜セル番号９９まで逆従星２０ｎを示し、セル番号１００〜セル番号１１４は陽占を５行２０ｏに変換したものである。セル番号１１５〜セル番号１１７が、各出会い２０ｐ、恋愛２０ｑ、結婚２０ｒの各運勢を数字で示したものである。以上の結果から、本発明である算命学占いシステム１は、鑑定手段を構成する「陰占」と「陽占」と「大運」の構成を図６に示したセル図２０から導きだすことができる。
【００６９】
図７は、本発明である算命学占いシステムで鑑定手段のうち大運の鑑定結果を導き出すために使用する十干表である。十干表２１とは、大運の主星を演算する際に必要な表である。十干表２１は、質２１ａ、読み方２１ｂ、自然に置き換えた質２１ｃからなる。十干表２１の左部に示した質２１ａには、最初に５行の説明で触れた特質を示した木星、火星、土星、金星、水星があり、木星〜水星まで、各々陰陽の関係がある。また、自然に置き換えた質２１ｃで、５行である木星、火星、土星、金星、水星は、方位である東方、南方、中央、西方、北方に、それぞれ置き換える事ができる。
【００７０】
図８は、本発明である算命学占いシステムで鑑定手段のうち大運の鑑定結果を導き出すために使用する十二支表である。十二支表２２は、鑑定手段を構成する大運の従星を演算する際に必要な表である。十二支表２２の左端に示したのは、１２種類の干支で「亥、子、丑、寅、卯、辰、巳、午、羊、申、酉、戌」である。１２種類の干支も、亥〜戌が各陰陽に対応し、亥年〜戌年にかけて、亥→陰、子→陽、丑→陰、寅→陽・・・の順番となる。
【００７１】
図９は、本発明である算命学占いシステムの鑑定手段を構成する陰占表である。陰占表１５は、利用者２の生年月日を３行５列の干支で示した表である。また、陰占表１５の左下部には、天中殺１７を示すことができる。陰占表１５の構成は、縦軸の行を示した年干支１５ａ、月干支１５ｂ、日干支１５ｃとからなる。
【００７２】
次に、陰占表１５の右端に示した５行を構成する列は、天支１５ｄ、地支１５ｅ、地干１５ｆ、地干１５ｆ、地干１５ｆからなる。各行、列共に、１、２、３・・・１５迄の連番からなる数字を付したものである。また、天中殺１７には、番号５’、６’の連番を付した。次に、鑑定手段を構成する万年暦の構成について詳細を説明する。
【００７３】
図１０は、本発明である算命学占いシステムの鑑定手段を構成する陰占の演算に使用する万年暦である。図１０に示した万年暦２３とは、先に利用者２が入力した生年月日を基に、陰占表１５に表示できるように干支へ変換するための暦である。利用者２の生年月日を生年、生月、生日に分け、それぞれ年干支、月干支、日干支に変換することができる。次に、万年暦２３を使用し、実際に本発明である算命学占いシステム１の内部で鑑定手段を構成する演算で行う干支を構成する年干支、月干支、日干支に変換する。
【００７４】
図１０に示した万年暦２３は、鑑定手段を構成する図９に示した陰占表１５を構成する年干支２３ａを求める際に使用する暦である。また、「節分の日」を基準として定め、利用者２の生年月日が「節分の日」の前後いずれになるのか判断するために使用する暦である。そこで、本発明では、利用者２が入力した生年月日の生年の入力を行った時点で自動的に万年暦２３を使用し、「節分の日」の前後を判別し演算ができるものとした。
【００７５】
「節分の日」とは、「グレゴリオ暦」上の２月３日である。「節分の日」は、ホストコンピューターの内部記録装置に予め日付を設定した状態にしてある。また、「節入り日」とは、図１０の万年暦２３に予め示された月毎の区切りを示した特定の日であり、符号の節入り日２３ｉである。本発明では、万年暦２３に「節入り日２３ｉ」も予め記憶されている。演算は、ホストコンピューターに内蔵した中央処理演算装置で演算を行う。
【００７６】
次に、図１０に示した月干支２３ｂを求める場合も年干支２３ａ同様に、月ごとに発生する「節入り日２３ｉ」を基準に前後いずれの月になるのか判断しなければ万年暦２３の月干支２３ｂを選ぶことができない。そこで、本発明である算命学占いシステム１は、月干支２３ｂも年干支２３ａ同様に利用者２が生月の入力を行った時点で自動的に「節入り日２３ｉ」を判別し演算ができるようにした。
【００７７】
先ず、利用者２の生年月日は、万年暦２３に記載された「節分の日」である２月３日を境に「前年に属する場合」と「後年に属する場合」のいずれかの場合に自動的に振り分けを行う。つまり、２月３日以前に生まれた利用者２の場合は前年の年の干支となり、２月３日以後に生まれた利用者２の場合は、当年度の図１０に示した年干支２３ａとなる。また、万年暦２３の年干支２３ａは、図９に示した年干支１５ａとリンクする。
【００７８】
次に、図９に示した陰占表１５の年干支１５ａとリンクが終了した後は、図９に示した陰占表１５の年干支１５ａ、月干支１５ｂ、日干支１５ｃに埋めるために、図１０に示した万年暦２３から順次利用者２の命式の算出を自動的に行い、鑑定手段を構成する陰占から陽占を求める流れとなる。次に、利用者２が１９０５年１月３日生まれの男性とした場合を事例として取り上げる。
【００７９】
図９に示した陰占を構成する年干支１５ａは、予めホストコンピューターの記憶装置内に記憶されているため、利用者２が、１９０５／０１／０３と数字を打ち込み、図３に示した表紙１１の占い１１ｄボタンを押した場合に年干支１５ａを瞬時に計算し求めることができる。１９０５年１月の場合、図１５の年干支１５ａは、万年暦２３の上部に示したように、前年である西暦１９０４年２３ｄとなる。１９０５年１月は、１９０５年において「節分の日」の前になるためである。
【００８０】
したがって、図９に示した年干支１５ａは、図１０に示した万年暦２３の左部に示した甲辰２３ｅとなる。月干支２３ｂは、月干支２３ｂを示した明治３８年年１月の下部にある丁丑２３ｆとなる。しかし、月干支２３ｂは「節入り日２３ｉ」に従うため、１月の月干支２３ｂに示した丁丑２３ｆにならない。そこで前月の「節入り日」２３ｊである明治３８年１２月の月干支２３ｂの丙子２３ｇとなる。結果、利用者２である１９０５／０１／０３の男性の年干支、月干支２３ｂは、甲辰２３ｅ、丙子２３ｇとなる。
【００８１】
図１０に示した日干支２３ｃは、月干支２３ｂのように「節入り日２３ｉ」等の例外が存在しない。そこで、１月３日であれば、万年暦２３の月干支２３ｂにそのままの状態で従うため明治３８年１月３日の３日の欄に示した壬寅２３ｈとなる。以上の結果から、本発明によって年干支２３ａ、月干支２３ｂ、日干支２３ｃを演算し表示することができる。
【００８２】
図１１は、本発明である算命学占いシステム鑑定手段を鑑定構成する陰占表の演算の途中過程で番号１〜番号６を示した陰占表である。
【００８３】
図１０に示した前項の万年暦２３の結果より、１９０５／０１／０３生まれの男性の場合、図９に示したように、陰占、年干支１５ａが「甲辰」、月干支１５ｂが「丙子」、日干支１５ｃ「壬寅」を陰占表１５に示す事ができる。陰占表１５の左下に示したように、天中殺１７である「辰巳」をホストコンピューターから自動的に算出することができる。天中殺１７は、図１２に示した天中殺表から算出する。
【００８４】
図１２は、本発明である算命学占いシステムの鑑定手段を構成する陰占表の番号５’と番号６’の演算に使用する天中殺表である。
【００８５】
図１２に示したように、天中殺表２４は、図７に示した十干表２１と、図８に示した十二支表２２を「組み合わせた」表である。「組み合わせ」とは、図７に示した十干表２１である「甲乙丙丁戌己庚辛壬癸」に、図８に示した十二支表２２である「子丑寅卯辰巳午未申酉戌亥」のうち「子丑寅卯辰巳午未申酉」の１０を組み合わせた表である。また、天中殺表２４は、１〜６０番までの数字を連番で示したものである。天中殺表２４の意味は、利用者２の衰退する運若しくは災いを意味するものである。
【００８６】
図１２に示した天中殺表２４は、実際に図７に示した十干表２１と、図８に示した十二支表２２を組み合わせた場合、甲子や、乙丑、丙寅・・・と原則として同一の組み合わせが発生しない。例外的に余りの組み合わせが生じる。余りの干支の組み合わせが天中殺という。例えば、戌亥、申酉・・・である。
【００８７】
また、図６に示した本発明の中心であるセル図２０のセル番号１７の天中殺２０ｃの干支は、その個人が所有する天中殺の範囲を示したものである。天中殺２０ｃは、Ａ）先天性の「宿命天中殺」と、Ｂ）後天性の「後天天中殺」とに区分することができる。Ａ）「宿命天中殺」及びＢ）「後天天中殺」は、本発明である算命学占いシステム１に示していないが、図３に示した表紙１１の占い項目１１ｂ等に追加することができる。
【００８８】
Ａ）の「宿命天中殺」には、１）生年天中殺、２）生月天中殺、３）生日天中殺、４）日座天中殺、５）宿命２大天中殺からなる。１）〜５）迄の意味は、個人がもって生まれてきた宿命（干支）に、天中殺が含まれているため、いかなる場合でも利用者２の衰退する運若しくは災いを避ける事ができないということである。
【００８９】
Ｂ）の「後天天中殺」には、大運天中殺があり、人生の中のある期間だけ影響するものである。なお、２人以上の第三者から発生するのが、「互換天中殺」、「同一天中殺」、「相互天中殺」であり相対的なものである。Ａ）「宿命天中殺」及びＢ）「後天天中殺」のいずれも、算命学占いシステム１の占いの鑑定手段を構成する文言等を利用者２に提供することができる。
【００９０】
図１３は、本発明である算命学占いシステムの鑑定手段を構成する陰占表の演算の途中過程で陰占表の番号７〜番号１５の演算に使用する二十八元表である。図１３に示した二十八元表２５は、図１１に示した陰占表１５に示した番号１〜番号６である年干支１５ａの「甲辰」、月干支１５ｂの「丙子」、日干支１５ｃ「壬寅」を基に、番号７〜番号１５を算出するための表である。（以下、番号とは、図１１の陰占表１５の枠内に示した番号とする。）
【００９１】
図１３に示した二十八元表２５は、横項目である空間２５ａを構成する初元２５ｂ、中元２５ｃ、末元２５ｄと、縦項目である十二支２５ｅを構成する子２５ｆ、丑、寅２５ｇ、卯、辰２５ｈ、巳、午、未、申、酉、戌、亥からなる。次に、図１３に示した二十八元表２５を使用して、１９０５／０１／０３の男性の場合である図１１に示した陰占表１５の番号７〜番号１５を演算する。
【００９２】
図１１等に示したように、陰占表１５の番号７〜番号１５は番号７を算出する場合、年干支１５ａの地支１５ｅに示した「辰」が基準となる。また、月干支１５ｂの場合、月干支１５ｂの地支１５ｅに示した「子」が基準となる。また、日干支１５ｃの場合、日干支１５ｃの地支１５ｅに示した「寅」が基準となる。次項で、前項二十八元表２５に、年干支１５ａである「辰」を当てはめ説明する。
【００９３】
図１３に示した二十八元表２５の十二支２５ｅ示した辰２５ｈは、空間２５ａを構成する初元２５ｂが「乙  ９日間」を示し、中元２５ｃが「癸  ３日間」を示し、末元２５ｄが「戌節明け」を示した各干支と日数（以下、干支日数という）からなる。
【００９４】
図１１の陰占表１５の地干１５ｆ、１５ｆ、１５ｆに示した番号７、番号１０、番号１３へは、干支日数を当てはめればよいが、そのままの順番である図１３に示した初元２５ｂ、中元２５ｄ、末元２５ｅに当てはめることができない。
【００９５】
そこで、干支日数が大きい数字から順番に、図１１の陰占表１５の「辰」の下部に示した干支日数の大きいものから順番に当てはめる。「干支日数の大きいもの」とは、図１３の二十八元表２５の空間２５ａと十二支２５ｅに囲まれた初元２５ｂ、中元２５ｃ、末元２５ｄの内部に示した期間に各対応した日数が多い干支である。
【００９６】
図１３に示した初元２５ｂ・中元２５ｃ・末元２５ｄは、利用者２が属する生年月日の月の節入り日から前月の節入り日までの１ヶ月間を区切ったものである。例えば、１９０５／０１／０３の場合、１９０４／１２／８から１９０５／０１／０５の期間で、初元２５ｂに「癸  ９日」であれば、１９０４／１２／０８から９日間を示し、１９０４／１２／０８から１９０４／１２／１６の期間となる。
【００９７】
したがって、図１１に示した陰占表１５の７番、１０番、１３番を求める場合は、番号２に位置した「辰」の場合、末元２５ｄの重なりあった「戌節明け」となる。以下、番号１０、番号１３への干支日数を当てはめると、番号１０の場合が初元２５ｂの「乙  ９日間」、番号１３の場合が中元２５ｃの「癸  ３日間」となる。
【００９８】
図１１に示した陰占表１５の８番、１１番、１４番の求め方を図１３に示した二十八元表２５を使用し説明する。番号８を求めるために、番号４を算出する。番号４には、「子」が入れられており、図１３に示した二十八元表２５で一番大きな日数として末元２５ｄとの重なりあった「癸  節明け」となる。
【００９９】
「癸」が、図１１に示した陰占表１５の番号８となる。以下、番号１１、番号１４の干支日数を当てはめると図１３に示した二十八元表２５の十二支２５ｅの「子」２５ｆと横項目が重なり合うのは、末元２５ｄだけである。
干支日数とは、図１３に示した二十八元表２５に示した＊日間と示し日数である。したがって図１０に示した陰占表１５の番号８は、「癸節明け」となり、番号１１、番号１４の順へ干支日数が存在しないため陰占表１５の番号１１、１４は、そのままの番号を示した１１番、１４番となる。
【０１００】
図１１に示した陰占表１５の番号６を形成する「寅」は、前項月干支２５ｃと同様に、図１３の二十八元表２５の縦項目に示した十二支２５ａの「寅」２５ｇとなる。干支日数の大きい数字は、番号９が末元２５ｄである「甲  節空け」、番号１２が初元２５ｂである「戌  ９日間」、番号１５が中元２５ｃである「丙  ７日間」となる。以上の結果より、図９に示した陰占表１５の全ての番号である１番から１５番まで求めることができる。
【０１０１】
図１４は、本発明である算命学占いシステムの鑑定手段を構成する陰占表の演算の途中過程で陰占表の番号８番〜番号１５の結果を示した陰占表である。即ち、図１４に示した陰占表１５には、年干支１５ａ、月干支１５ｂ、日干支１５ｃの順に各１番から１５番まで甲、辰、戌、丙、子、癸、１１、１４、壬、寅、甲、戌、丙のように干支で演算した結果の一覧である。また、天中殺１７の結果も「辰巳」のように陰占表１５と併せて表示することができる。次に、図１４までに示した鑑定手段を構成する陰占表１５と対となる陽占表２６について説明する。
【０１０２】
図１５は、本発明である算命学占いシステムの鑑定手段を構成する陰占表を基に演算した陽占表である。図１５に示したように陽占表２６とは、本発明である算命学占いシステム１の利用者２の鑑定手段から占いの鑑定結果を導くために必要な表で、図３に示した陽占表１６と同一の表である。利用者２の鑑定結果として、例えば、目上の人に発揮される能力、適職や才能、本人の本質を表す、友人や恋愛期を表すこと等がある。
【０１０３】
図１５に示したように陽占表２６は、略３行３列の行列からなり、最左上に示した行列の部分は空白である。また、陽占表２６の中心をＡ２６ａ、Ｂ２６ｂ、Ｃ２６ｃ、Ｄ２６ｄ、Ｅ２６ｅ、Ｆ２６ｆ、Ｇ２６ｇ、Ｈ２６ｈとからなる。次項で、鑑定手段で陽占を構成する前項Ａ２６ａからＨ２６ｈの鑑定結果を説明する。
【０１０４】
図１５に示したようにＡ２６ａ〜Ｇ２６ｇは、星の名称及び利用者の簡素な鑑定の目的を示したアルファベット記号である。たとえば、Ａ２６ａが目上の人に発揮される星、Ｂ２６ｂが適職や才能を現す星、Ｃ２６ｃが本人の本質を表す星、Ｄ２６ｄが友人や恋愛期を表す星、Ｅ２６ｅが結婚後を表す星、Ｆ２６ｆが幼少から青年期を表す星、Ｇ２６ｇが青年期から中年期を表す星、Ｈ２６ｈが晩年を表す星のように各星が占いの目的を表したものである。
【０１０５】
図１６は、本発明である算命学占いシステムの鑑定手段を構成する陽占表を人体図に置き換え示した正面図である。図１６に示した位置関係表２７とは、図１５に示した陽占表２６の表示方法を変えた第２実施例である。図１６の中心には人間を形をした人体図２７ａの絵柄で示し、人体図２７ａは、図１５で示した陽占表２６のＡ２６ａ〜Ｈ２６ｈの各星を人体図２７ａにリンクさせた状態で表示することができる。
【０１０６】
例えば、Ａ２６ａは人体の頭、Ｂ２６ｂは人体の腹、Ｃ２６ｃは人体の胸、Ｄ２６ｄは人体の左手、Ｅ２６ｅは人体の右手、Ｆ２６ｆは人体の肩、Ｇ２６ｇは人体の左足、Ｈ２６ｈは人体の右足を示したもので、図１５に示した陽占表２６と同じ鑑定結果の意味となる。
【０１０７】
図１７は、本発明である算命学占いシステムの鑑定手段を構成する鑑定結果を構成する陽占表と陰占表、陽占表で使用する十大主星表と十二大従星の各対応関係を示した対応表である。
【０１０８】
図１７に示した対応表２７ｂは、縦項目に十大主星２７ｃ、十二大従星２７ｄを設け、横項目には、図９に示した陰占表１５の内部の番号１５ｇを記載し、十大主星２７cと十二大従星２７ｄと図９に示した陰占表１５の内部の番号１５ｇとを対応させて示したものである。
【０１０９】
したがって、本発明では鑑定手段からなる鑑定結果を出力する際、陰占表１５の内部の番号１５ｇ、前項で示した人体図２７ａ、図１５に示した陽占表２５のアルファベット記号で示したＡ２６ａ〜Ｈ２６ｈとをリンクさせることで、利用者２に対し、本発明の課題である正確かつ詳細な鑑定結果を出すこともできる。以下、十大主星２７ｃ、十二大従星２７ｄとの関係を記載する。
【０１１０】
図１７に示した十大主星２７ｃは、図９に示した陰占表１５の番号５と番号５以外の各番号の組み合わせである。図１５に示した陽占表２６のアルファベット記号を対応させている。以下に示す。
陰占表１５の番号５と番号１→陽占表２６のＡ：頭２６ａ
陰占表１５の番号５と番号３→陽占表２６のＢ：腹２６ｂ
陰占表１５の番号５と番号８→陽占表２６のＣ：胸２６ｃ
陰占表１５の番号５と番号７→陽占表２６のＤ：左手２６ｄ
陰占表１５の番号５と番号９→陽占表２６のＥ：右手２６ｅ
【０１１１】
また、図１７に示した十二大従星２７ｄは、十大主星２７ｃ同様、図９に示した陰占表１５の内部の番号１５ｇと、図１５に示した陽占表２６のアルファベット記号が対応している。
陰占表１５の番号５と番号２→陽占表２６のＦ：肩２６ｆ  陰占表１５の番号５と番号４→陽占表２６のＧ：左足２６ｇ
陰占表１５の番号５と番号６→陽占表２６のＨ：右足２６ｈである。
次に、陽占表２６で使用した十大主星表２８と十二大従星表２９について説明する。
【０１１２】
図１８は、本発明である算命学占いシステムの鑑定手段を構成する鑑定結果の陽占表で使用する十大主星表である。図１８に示した十大主星表２８は、図１５に示した鑑定結果の陰占表１５を基に、陽占表２６へと変換するための換算表である。縦項目に示した星２８ａと、横項目に示した干日２８ｂからなる。
【０１１３】
星２８ａは、「貫索星」、「石門星」、「鳳閣星」、「調舒星」、「禄存星」、「司禄星」、「車騎星」、「牽牛星」、「龍高星」、「玉堂星」の以上１０星からなる。干日２８ｂは、右から左にかけて、甲、乙、丙、丁、戌、巳、庚、辛、壬、癸の１０干からなる。
【０１１４】
次に、１９０５／０１／０３を例として、図１５に示した陰占表１５から図１８の十大主星表２８を使用し、陽占に従って変換を行い陽占表２６のＡ２６ａからＥ２６ｅを求める。まず、図１８に示した十大主星表２８は、図１１に示した陰占表１５の日干支１５ｃの左上部に示した番号５の「壬」を基準に定める。
【０１１５】
以上の結果から、図１８の陽占表２６に例として利用者２の１９０５／０１／０３を当てはめると、Ａ２６ａからＥ２６ｅまでそれぞれ、Ａ２６ａ：「鳳閣星」、Ｂ２６ｂ：「禄存星」、Ｃ２６ｃ：「石門星」、Ｄ２６ｄ：「車騎星」、Ｅ２６ｅ：「鳳閣星」となる。
【０１１６】
図１８に示した十大主星表２８は、図６に示したセル図２０の以下のセル番号である主星（十大主星）２０ｈに当てはめることができる。
図６に示したセル番号６、セル番号２の組み合わせはセル番号１８
図６に示したセル番号６、セル番号４の組み合わせはセル番号１９
図６に示したセル番号６、セル番号９の組み合わせはセル番号２０
図６に示したセル番号６、セル番号８の組み合わせはセル番号２１
図６に示したセル番号６、セル番号１０の組み合わせはセル番号２２となる。
【０１１７】
図１９は、本発明である算命学占いシステムの鑑定手段を構成する鑑定結果の陽占表で使用する十二大従星表である。図１９に示した十二大従星表２９は、図１５に示した鑑定結果の陰占表１５を基に、陽占表２６へと変換するための表である。縦項目に示した星２９ａと横項目に示した干日２９ｂからなる。
【０１１８】
星２９ａの名称は、天貴星、天恍星、天南星、天禄星、天将星、天堂星、天胡星、天極星、天庫星、天馳星、天報星、天印星の１２星からなる。干日２９ｂは、前十大主星と同じく、右から左に向かった甲、乙、丙、丁、戌、巳、庚、辛、壬、癸の１０干からなる。
【０１１９】
図１９に示した十二大従星２９の場合、図９に示した陰占表１５の１から１５までの番号と、図１５に示した陽占表２６のアルファベットＡからＨまでの記号がリンクしている。
【０１２０】
図２０は本発明である算命学占いシステムの鑑定手段を構成する陽占表の鑑定結果Ａ〜Ｅまでを、十大主星表で求めた鑑定結果である。
図２０に示したように、陽占表２６のＦ２６ｆ及び陽占表２６のＨ１６ｈ、陽占表２６のＧ２６ｇは空白である。しかし、図２１に示したように本発明を構成する陽占の最終結果まで導きだすことができる。
【０１２１】
図２１は、本発明である算命学占いシステムの鑑定手段を構成する陽占表の鑑定結果Ｆ〜Ｈまでを、十大主星表と十二大従星で求めた鑑定結果である。図２１に示したＧ２６ｇからＨ２６ｈは、例えば、１９０５／０１／３日の「日干」の場合、図２１に示した陽占表２６のＦ２６ｆ、Ｇ２６ｇ、Ｈ２６ｈを図６に示したセル図２０の以下のセル番号の構成から、演算によって求めることができる。
図６に示したセル番号６、セル番号３の組み合わせは、セル番号２３
図６に示したセル番号６、セル番号５の組み合わせは、セル番号２４
図６に示したセル番号６、セル番号７の組み合わせは、セル番号２５となる。
【０１２２】
以上の結果から、図２１に示したように、
図９に示した陰占表１５の番号５と番号２から、陽占表２６のＦ２６ｆ：「天庫星」
図９に示した陰占表１５の番号５と番号４から、陽占表２６のＧ２６ｇ：「天将星」
図９に示した陰占表１５の番号５と番号６から、陽占表２６のＨ２６ｈ：「天胡星」
となる。なお、Ａ２６ａからＥ２６ｅは、図１８に示した主星の算出時に求めたものである。
【０１２３】
図２２は、本発明である算命学占いシステムの鑑定手段を構成する陽占表の鑑定結果Ａ〜Ｈまでを示した表である。図２１で演算した陽占表２６の結果は、図２２に示したように人体図２７ａと併せた結果で表示することができる。
【０１２４】
図２２に示した陽占表２６の結果と、位置関係結果表２７ｆは、人体図２７ａと、人体位置を示した場所２７ｇ、星２７ｈ、性格・才能２７ｉとからなる。
なお、星２７ｈ及び性格・才能２７ｉに示した結果は、図２１に示した陽占の鑑定結果と異なるが、別の鑑定結果を示したものである。
【０１２５】
以上の結果から本発明を構成する鑑定手段の陰占と陽占のみでも、本例である占い及び占い装置から独立することができ、算命学の鑑定を行うことができる。また、上記まで陰占、陽占、鑑定手段の流れを全てＣＤ−Ｒ若しくはＤＶＤ等の記録媒体に、予め入力しソフトウェアーにすることもできる。
【０１２６】
次に、利用者２から提供された性別を利用して、更に細かい鑑定結果を構成する「大運」や「順・逆順」等の説明を図６に示したセル図２０のセル番号の組み合わせから演算し、説明する。
【０１２７】
「大運」とは、一定の年齢を基準に１０年ごとの運勢を割り出すものである。例えば、年齢が１歳の場合、１歳・１１歳・・・８１歳までの各年代ごとの占いを割り出すものである。ただし、本発明で演算する大運は、ホストコンピューターで演算をする際、性別である男女で識別し、前項までの詳細を説明した鑑定手段を構成する陰占と陽占によって、年干支、月干支、日干支の内、月干支から演算する。
【０１２８】
本発明では図６のセル図２０に示したように、大運の年齢を示した期間は、１０年ごとに区分することができ、男性の場合にはセル番号２６、女性の場合にはセル番号６３から示す。男性の場合、図６に示したセル番号２７〜セル番号３５の大運の年齢２０ｆの期間に対応し、女性の場合、図６に示したセル番号６４〜セル番号７２の逆年齢２０ｋに期間に対応するようにした。
【０１２９】
なお、本例である算命学占いシステム１で大運を求める順番として、「正順」と「逆順」を適用することができる。「正順」と「逆順」は、性別である男女の区別からセル番号２を算出する。「正順」は以下、正順廻りといい、「逆順」は以下、逆順廻りという。本発明では、図６に示したセル図２０の最上部に示したセル番号２６が男性の順番を示す場所であり、セル番号６３は女性の順番を示すものである。
【０１３０】
したがって、男性の場合の正順廻りは、図６のセル図２０に示したセル番号２が「甲、丙、戊、庚、壬」ならば、正順廻りでセル番号２６となる。また、男性の場合の逆順廻りも、セル番号２が「乙、丁、己、辛、癸」ならばセル番号２６となる。
【０１３１】
一方、女性の場合も、図６のセル図２０に示したセル番号２で、女性の正順廻り、逆正順廻りが決まる。したがって、女性の場合の逆順廻りは、セル番号２が「甲、丙、戊、庚、壬」ならばセル番号６３となり、女性の場合の正順廻りも、セル番号２が「乙、丁、己、辛、癸」ならば正順廻りでセル番号６３となる。即ち、男性の正順廻りと逆順廻り、女性の正順廻りと逆順廻りから、本発明を構成する鑑定手段である大運が決まる。次に、大運の事例として男性の正順廻りで演算を行った場合の事例と、女性の逆順廻りで演算を行った場合を説明する。
【０１３２】
１９０５／０１／０３の男性の正順廻りの「大運」を求めた場合、図９の陰占表１５に示した番号２は、前項に示した「甲」であるから、正順廻りとなる。また、１９０５／０１／０３の女性の場合、図９の陰占表１５に示した番号２の干支である「甲」の変化はない。ただし、相対するため逆順廻りとなる。
【０１３３】
次に、本発明の鑑定手段を構成する「大運」の旬年齢について説明をする。鑑定結果６図６に示したセル番号２７〜セル番号３５は、男性の「正順廻りの場合」を示したものである。正順廻りは、生まれた日から、次の「節入り日まで」の日数を出し、前記日数を３で割ったものである。
【０１３４】
次の「節入り日まで」とは、１９０５／０１／０３の男性の場合、万年暦２３より１月の６日が「節入り日２３ｉ」となる。従って、「節入り日まで」の日数は３日間となり、前記「節入りまで」の日数を３で割り、図６のセル図２０の年齢２０ｆのセル番号２７に示したように、大運の男性の正順廻りは、１となる。よって、１９０５／０１／０３の男性の場合、初旬はセル図２０の年齢２０ｆに示したように、セル番号２７が１となる。
【０１３５】
以下、図６のセル図２０に示したセル番号２７が演算された場合、男性の正順廻りの大運の第一旬から、第九旬まで、つまり、８０年以上の年数を示した年齢２０ｆの初旬から数字を１０づつ増やし、セル番号２８から、セル番号３５を求めることができる。以下詳細を示す。
第二旬は初旬の数に１０を加えた数字がセル番号２８
第三旬は初旬の数に２０を加えた数字がセル番号２９
第四旬は初旬の数に３０を加えた数字がセル番号３０
第五旬は初旬の数に４０を加えた数字がセル番号３１
第六旬は初旬の数に５０を加えた数字がセル番号３２
第七旬は初旬の数に６０を加えた数字がセル番号３３
第八旬は初旬の数に７０を加えた数字がセル番号３４
第九旬は初旬の数に８０を加えた数字がセル番号３５である。
【０１３６】
以上の結果から図６のセル図２０の年齢２０ｆに示したように、１９０５／０１／０３の男性の正順の場合、セル番号２７は、セル番号２７に示した数字の１となり、以下、セル番号２７〜セル番号３５の各１０年ごとを示す初旬、第二旬、第三旬・・・第九旬と、１歳から８１歳までの大運を算出することができる。なお、初旬から第九旬までは、生年月日や性別等の条件により変動する。
【０１３７】
次に、本発明の鑑定手段を構成する女性の大運の旬年齢について説明をする。女性の大運の旬年齢であるセル番号６４〜セル番号７２（逆年齢２０ｋ）を演算する方法を示す。女性の場合も男性の旬年齢を求める場合と同様に「正順」（以下、正順廻りという）と、「逆順」（以下、逆順廻りという）に分けることができる。
【０１３８】
図６のセル図２０に示したセル番号６５〜セル番号７２は、女性の「正順廻りの場合」を示したものである。正順廻りとは、生まれた日から、次の「節入り日まで」の日数を出し、日数を３で割ったものである。なお、小数点は四捨五入し、各月の始まりは旧暦の二十四節気の「節」とする。
【０１３９】
以下、その数字が初旬の場合に、セル番号６４が演算された場合、第一旬から、第九旬まで年数を１０づつ増やすことで、セル番号６５からセル番号７２までの各１０年ごとの示す初旬、第二旬、第三旬・・・第九旬と、１歳から８１歳までの大運を算出することができる。
なお、女性の場合の大運の旬年齢も、男性同様初旬から第九旬まで生年月日や性別等の条件により変動する。以下図６に示したセル図２０に示した女性の場合の大運の旬年齢の関係をである。
【０１４０】
第二旬は初旬の数に１０を加えた数字がセル番号６５
第三旬は初旬の数に２０を加えた数字がセル番号６６
第四旬は初旬の数に３０を加えた数字がセル番号６７
第五旬は初旬の数に４０を加えた数字がセル番号６８
第六旬は初旬の数に５０を加えた数字がセル番号６９
第七旬は初旬の数に６０を加えた数字がセル番号７０
第八旬は初旬の数に７０を加えた数字がセル番号７１
第九旬は初旬の数に８０を加えた数字がセル番号７２である。
次項に女性の大運の旬年齢である「逆順廻りの場合」の具体例を示す。
【０１４１】
図６のセル図２０に示したセル番号６４〜セル番号７２は、女性の大運の旬年齢である「逆順の場合」を示したものである。演算方法は、「前の節入り日」から、「生まれた日まで」の日数を出し、３で割ったものである。「前の節入り日」とは、１９０５／０１／０３の場合、図１０に示した万年暦２３より、１２月の７日が「前の節入り日」となる。従って、１２月は３１日より、３１日−３日＝２８、即ち２８÷３により９．３３３となり、少数を切り捨てることで、逆順の場合、９日となる。即ち、図６に示したセル図２０の逆順２０ｋである。
【０１４２】
次に、本発明である算命学占いシステム１の陰占手段、陽占手段によって演算できる大運の旬干支と（大運の中に、大運天中殺が含む。）と大運の旬主星と大運の旬従星の関連性を図６に示したセル図２０を用いて説明する。
【０１４３】
図６のセル図２０示したようにセル番号３６〜セル番号４４は、鑑定手段による鑑定結果を構成し、大運の一部を構成した大運天中殺である。また大運天中殺は大運という利用者２が生まれてから死ぬまでの期間を仮定し、期間の中で最も大きなエネルギー変化を起こす時期を示すものである。図６のセル図２０の干支２０ｇに示した男性の正順廻りの場合である。
【０１４４】
本発明では、男性、女性の場合のいずれの場合でも鑑定手段を構成する陰占と陽占から「大運」の一部を構成する「大運の旬干支」を演算することができ、関係も図６に示したセル図２０のセル番号で示すことができる。
【０１４５】
先に、大運を構成する「大運の旬干支」について詳細を説明する。「大運の旬干支」とは、図６に示したセル図２０のセル番号３６〜４４にように、セル番号２６の大運の流れの正順、逆順を自動で演算することができ、図６に示したセル図２０のセル番号４、５と、図１２に示した天中殺表２４で割り出し特定したものである。
【０１４６】
また、特定した干支の前後が初旬干支となり、初旬干支の前後がセル番号３６となる。鑑定手段を構成する「大運の旬干支」を演算するために、初旬〜九旬まで演算しなければならない。そこで本発明である算命学占いシステム１は、正順の場合天中殺表２４を下り、逆順の場合なら天中殺表２４を上るようにした。
【０１４７】
なお、男性の「大運の旬干支」は、正順の場合は干支表の後となり、逆順の場合は干支表が基準となる。即ち、正順の場合
第二旬は初旬の干支の表の一つ後がセル番号３７
第三旬は初旬の干支の表の二つ後がセル番号３８
第四旬は初旬の干支の表の三つ後がセル番号３９
第五旬は初旬の干支の表の四つ後がセル番号４０
第六旬は初旬の干支の表の五つ後がセル番号４１
第七旬は初旬の干支の表の六つ後がセル番号４２
第八旬は初旬の干支の表の七つ後がセル番号４３
第九旬は初旬の干支の表の八つ後がセル番号４４となり、
男性の大運の旬干支による逆順の場合、
第二旬は初旬の干支の表の一つ前がセル番号３７
第三旬は初旬の干支の表の二つ前がセル番号３８
第四旬は初旬の干支の表の三つ前がセル番号３９
第五旬は初旬の干支の表の四つ前がセル番号４０
第六旬は初旬の干支の表の五つ前がセル番号４１
第七旬は初旬の干支の表の六つ前がセル番号４２
第八旬は初旬の干支の表の七つ前がセル番号４３
第九旬は初旬の干支の表の八つ前がセル番号４４となる。
以上の結果から、本発明である算命学占いシステム１で大運を構成する男性の「大運の旬干支」の正逆順について演算をすることができる。次に女性の場合の図６に示したセル図２０における「大運の旬干支」は、以下に示す。
【０１４８】
「女性の大運の旬干支」は、正順の場合は干支表の後となり、逆順の場合は干支表の前が基準となる。即ち、正順の場合、
第二旬は初旬の干支の表の一つ前がセル番号８３
第三旬は初旬の干支の表の二つ前がセル番号３８
第四旬は初旬の干支の表の三つ前がセル番号３９
第五旬は初旬の干支の表の四つ前がセル番号４０
第六旬は初旬の干支の表の五つ後がセル番号４１
第七旬は初旬の干支の表の六つ後がセル番号４２
第八旬は初旬の干支の表の七つ後がセル番号４３
第九旬は初旬の干支の表の八つ後がセル番号４４となり、
女性の大運の旬干支による逆順の場合は
第二旬は初旬の干支の表の一つ前がセル番号３７
第三旬は初旬の干支の表の二つ前がセル番号３８
第四旬は初旬の干支の表の三つ前がセル番号３９
第五旬は初旬の干支の表の四つ前がセル番号４０
第六旬は初旬の干支の表の五つ前がセル番号４１
第七旬は初旬の干支の表の六つ前がセル番号４２
第八旬は初旬の干支の表の七つ前がセル番号４３
第九旬は初旬の干支の表の八つ前がセル番号４４
以上の結果から、本発明である算命学占いシステム１の男性の「大運の旬干支」の正逆順について演算をすることができる。
【０１４９】
女性の大運の旬干支は、正順の場合は干支表の後となり、逆順の場合は干支表の前が基準となる。即ち、正順の場合
第二旬は初旬の干支の表の一つ後がセル番号７４
第三旬は初旬の干支の表の二つ後がセル番号７５
第四旬は初旬の干支の表の三つ後がセル番号７６
第五旬は初旬の干支の表の四つ後がセル番号７７
第六旬は初旬の干支の表の五つ後がセル番号７８
第七旬は初旬の干支の表の六つ後がセル番号７９
第八旬は初旬の干支の表の七つ後がセル番号８０
第九旬は初旬の干支の表の八つ後がセル番号８１となり
女性の大運の旬干支の逆順の場合は
第二旬は初旬の干支の表の一つ前がセル番号７４
第三旬は初旬の干支の表の二つ前がセル番号７５
第四旬は初旬の干支の表の三つ前がセル番号７６
第五旬は初旬の干支の表の四つ前がセル番号７７
第六旬は初旬の干支の表の五つ前がセル番号７８
第七旬は初旬の干支の表の六つ前がセル番号７９
第八旬は初旬の干支の表の七つ前がセル番号８０
第九旬は初旬の干支の表の八つ前がセル番号８１となる。
以上の結果から、本発明である算命学占いシステム１の女性の大運の旬干支の正逆順について演算をすることができる。
【０１５０】
また、本発明である算命学占いシステム１で、鑑定手段の大運の一部を構成する「大運の旬主星」を演算することができる。「大運の旬主星」は
男性の場合、女性の場合のいずれの場合でも、図６のセル図２０に示したように、旬主星とは、セル番号４５からセル番号５３に示すことができる。図６のセル図２０に示したようにセル番号４５〜５３の算出は、セル番号２６の大運の流れの正逆順の算出し、セル番号４、６と図１８に示した十大主星表２８で割り出したものである。
【０１５１】
また「大運の旬主星」を演算するために、初旬〜九旬まで演算しなければならない。そこで本発明は「大運の旬主星」が正順の場合、図７に示した十干表２１を下り、逆順の場合、同じく図７に示した十干表２１を上るようにした。十干の正順の上りとは、甲→乙→丙→丁→戌→己→庚→辛→壬→癸である。また、十干の逆順の下りとは、癸→壬→辛→庚→己→戌→丁→丙→乙→甲である。
【０１５２】
男性の大運の旬主星で正順の場合
（以下、各関係に使用するのは図１８に示した十大主星表２８である。）
第二旬でセル番号４の干支の十干の二つ後とセル番号６との関係→セル番号４６
第三旬はセル番号４の干支の十干の三つ後とセル番号６との関係→セル番号４７
第四旬はセル番号４の干支の十干の四つ後とセル番号６との関係→セル番号４８
第五旬はセル番号４の干支の十干の五つ後とセル番号６との関係→セル番号４９
第六旬はセル番号４の干支の十干の六つ後とセル番号６との関係→セル番号５０
第七旬はセル番号４の干支の十干の七つ後とセル番号６との関係→セル番号５１
第八旬はセル番号４の干支の十干の八つ後とセル番号６との関係→セル番号５２
第九旬はセル番号４の干支の十干の九つ後とセル番号６との関係→セル番号５３
となり、男性の大運の旬主星で逆順の場合
（以下、各関係に使用するのは図１８に示した十大主星表２８である。）
第二旬でセル番号４の干支の十干の二つ前とセル番号６との関係→セル番号４６
第三旬はセル番号４の干支の十干の三つ前とセル番号６との関係→セル番号４７
第四旬はセル番号４の干支の十干の四つ前とセル番号６との関係→セル番号４８
第五旬はセル番号４の干支の十干の五つ前とセル番号６との関係→セル番号４９
第六旬はセル番号４の干支の十干の六つ前とセル番号６との関係→セル番号５０
第七旬はセル番号４の干支の十干の七つ前とセル番号６との関係→セル番号５１
第八旬はセル番号４の干支の十干の八つ前とセル番号６との関係→セル番号５２
第九旬はセル番号４の干支の十干の九つ前とセル番号６との関係→セル番号５３
となる。
【０１５３】
次に、「女性の大運の旬主星」を示したセル番号８２〜９０の説明をする。
女性の大運の旬主星で正順の場合の関係を下記に示す。
第二旬でセル番号４の干支の十干の二つ後とセル番号６との関係→セル番号８３
第三旬はセル番号４の干支の十干の三つ後とセル番号６との関係→セル番号８４
第四旬はセル番号４の干支の十干の四つ後とセル番号６との関係→セル番号８５
第五旬はセル番号４の干支の十干の五つ後とセル番号６との関係→セル番号８６
第六旬はセル番号４の干支の十干の六つ後とセル番号６との関係→セル番号８７
第七旬はセル番号４の干支の十干の七つ後とセル番号６との関係→セル番号８８
第八旬はセル番号４の干支の十干の八つ後とセル番号６との関係→セル番号８９
第九旬はセル番号４の干支の十干の九つ後とセル番号６との関係→セル番号９０
となり、女性の大運の旬主星で逆順の場合
第二旬でセル番号４の干支の十干の二つ前とセル番号６との関係→セル番号８３
第三旬はセル番号４の干支の十干の三つ前とセル番号６との関係→セル番号８４
第四旬はセル番号４の干支の十干の四つ前とセル番号６との関係→セル番号８５
第五旬はセル番号４の干支の十干の五つ前とセル番号６との関係→セル番号８６
第六旬はセル番号４の干支の十干の六つ前とセル番号６との関係→セル番号８７
第七旬はセル番号４の干支の十干の七つ前とセル番号６との関係→セル番号８８
第八旬はセル番号４の干支の十干の八つ前とセル番号６との関係→セル番号８９
第九旬はセル番号４の干支の十干の九つ前とセル番号６との関係→セル番号９０
となる。
【０１５４】
次に、算命学占いシステム１は、鑑定手段を構成する「大運の旬主星」を演算することができる。男性の場合、女性の場合のいずれの場合をも問わない。図６のマップ２０に示したように、旬従星とは、セル番号５４からセル番号６２に示したものである。セル番号５４〜６２の算出は、セル番号２６の大運の流れの正逆順の算出し、セル番号４、６と図１８に示した十大主星表２８で割り出したものである。
【０１５５】
また、大運の旬従星を演算するために、初旬〜九旬まで演算しなければならない。そこで本発明は、正順の場合、前図８に示した十二干表２２を下り、逆順の場合、同じく図８に示した十干表２２を上るようにした。十二支の正順の上りとは、子→丑→寅→卯→辰→巳→午→未→申→酉→戌→亥である。また、十二支の逆順の下りとは、亥→戌→酉→申→未→午→巳→辰→卯→寅→子である。
【０１５６】
男性の大運の旬従星で正順の場合
（以下、各関係に使用するのは図１９に示した十二大従星表２９である。）
第二旬はセル番号５の十二支の二つ後とセル番号６との関係→セル番号５５
第三旬はセル番号５の十二支の三つ後とセル番号６との関係→セル番号５６
第四旬はセル番号５の十二支の四つ後とセル番号６との関係→セル番号５７
第五旬はセル番号５の十二支の五つ後とセル番号６との関係→セル番号５８
第六旬はセル番号５の十二支の六つ後とセル番号６との関係→セル番号５９
第七旬はセル番号５の十二支の七つ後とセル番号６との関係→セル番号６０
第八旬はセル番号５の十二支の八つ後とセル番号６との関係→セル番号６１
第九旬はセル番号５の十二支の九つ後とセル番号６との関係→セル番号６２
となり、男性の大運の旬従星で逆順の場合
（以下、各関係に使用するのは図１９に示した十二大従星表２９である。）
第二旬でセル番号５の十二支の二つ前とセル番号６との関係→セル番号５５
第三旬はセル番号５の十二支の三つ前とセル番号６との関係→セル番号５６
第四旬はセル番号５の十二支の四つ前とセル番号６との関係→セル番号５７
第五旬はセル番号５の十二支の五つ前とセル番号６との関係→セル番号５８
第六旬はセル番号５の十二支の六つ前とセル番号６との関係→セル番号５９
第七旬はセル番号５の十二支の七つ前とセル番号６との関係→セル番号６０
第八旬はセル番号５の十二支の八つ前とセル番号６との関係→セル番号６１
第九旬はセル番号５の十二支の九つ前とセル番号６との関係→セル番号６２
となる。
【０１５７】
女性の大運の旬従星について説明する。図６のセル図２０に示したように、女性の場合に区分して演算を行う。図６に示したセル図２０では、女性の場合、セル番号９１〜９９となる。セル番号２６の大運の流れの正逆順の算出し、セル番号５、セル番号６との関係を図１９に示した十二大従星表２９で割り出したものである。
【０１５８】
割り出したものが初旬従星でありセル番号９１である。大運の旬干支を演算するために、初旬〜九旬は、正順の場合十二支を下り、逆順の場合なら十二支を上るようにした。
【０１５９】
女性の大運の旬従星で正順の場合
（以下、各関係に使用するのは図１９に示した十二大従星表２９である。）
第二旬でセル番号５の十二支の二つ後とセル番号６との関係→セル番号９２
第三旬はセル番号５の十二支の三つ後とセル番号６との関係→セル番号９３
第四旬はセル番号５の十二支の四つ後とセル番号６との関係→セル番号９４
第五旬はセル番号５の十二支の五つ後とセル番号６との関係→セル番号９５
第六旬はセル番号５の十二支の六つ後とセル番号６との関係→セル番号９６
第七旬はセル番号５の十二支の七つ後とセル番号６との関係→セル番号９７
第八旬はセル番号５の十二支の八つ後とセル番号６との関係→セル番号９８
第九旬はセル番号５の十二支の九つ後とセル番号６との関係→セル番号９９
となり、女性の大運の旬従星で逆順の場合
（以下、各関係に使用するのは図１９に示した十二大従星表２９である。）
第二旬でセル番号５の十二支の二つ前とセル番号６との関係→セル番号９２
第三旬はセル番号５の十二支の三つ前とセル番号６との関係→セル番号９３
第四旬はセル番号５の十二支の四つ前とセル番号６との関係→セル番号９４
第五旬はセル番号５の十二支の五つ前とセル番号６との関係→セル番号９５
第六旬はセル番号５の十二支の六つ前とセル番号６との関係→セル番号９６
第七旬はセル番号５の十二支の七つ前とセル番号６との関係→セル番号９７
第八旬はセル番号５の十二支の八つ前とセル番号６との関係→セル番号９８
第九旬はセル番号５の十二支の九つ前とセル番号６との関係→セル番号９９
となる。
【０１６０】
以上により、本発明である算命学占いシステム１の鑑定手段を構成する「大運の旬干支」と（大運の中に、大運天中殺が含む。）と「大運の旬主星」と「大運の旬従星」の関連性が図６に示したセル図２０と関連となる。次に大運を一部構成する「大運天中殺」について補足説明をする。なお、図６に示したセル図に「大運天中殺」は示されていない。
【０１６１】
大運天中殺の発生要因として、図６のセル図２０に示した男性の場合のセル番号２７からセル番号３６、女性の場合のセル番号６４〜セル番号７２に加え、男性の場合のセル番号３６〜セル番号４４、女性の場合のセル番号７３〜セル番号８１にセル番号１７の干支が含まれている場合、大運天中殺が発生する。
【０１６２】
大運天中殺とは、大運による期間を更に短縮した利用者２の運勢を上昇させる期間を示したもので期間は２０年である。大運天中殺を含めることで、本発明である算命学占いシステム１は、鑑定結果の中にあらゆる物を引き寄せ、本人の能力と関係なく、財産や物、地位や名誉、素晴らしい評価、実績等が手に入る可能性を提供者３から利用者２に提供することができる。大天中殺は、１０年目を運勢の頂点とし、０〜１０年まで上昇し、１０〜２０年は下降する。次に図６のセル番号の関係で説明すると。
【０１６３】
男性の場合の大運天中殺は
セル番号３６で、セル番号２７→セル番号４５→セル番号５４が変化
セル番号３７で、セル番号２８→セル番号４６→セル番号５５が変化
セル番号３８で、セル番号２９→セル番号４７→セル番号５６が変化
セル番号３９で、セル番号３０→セル番号４８→セル番号５７が変化
セル番号４０で、セル番号３１→セル番号４９→セル番号５８が変化
セル番号４１で、セル番号３２→セル番号５０→セル番号５９が変化
セル番号４２で、セル番号３３→セル番号５１→セル番号６０が変化
セル番号４３で、セル番号３４→セル番号５２→セル番号６１が変化
セル番号４４で、セル番号３５→セル番号５３→セル番号６２が変化となり、
女性の場合の大運天中殺は
セル番号７３で、セル番号６４→セル番号８２→セル番号９１が変化
セル番号７４で、セル番号６５→セル番号８３→セル番号９２が変化
セル番号７５で、セル番号６６→セル番号８４→セル番号９３が変化
セル番号７６で、セル番号６７→セル番号８５→セル番号９４が変化
セル番号７７で、セル番号６８→セル番号８６→セル番号９５が変化
セル番号７８で、セル番号６９→セル番号８７→セル番号９６が変化
セル番号７９で、セル番号７０→セル番号８８→セル番号９７が変化
セル番号８０で、セル番号７１→セル番号８９→セル番号９８が変化
セル番号８１で、セル番号７２→セル番号９０→セル番号９９が変化
となる。以上が本発明である算命学占いシステム１の鑑定手段を構成する大運・大運天中殺手段である。次に、陽占の陽占表２６で演算した星に基づいて数値化する数理法３０について説明する。
【０１６４】
図２３〜図２９に示した図は、運命エネルギーを算出する際に必要とする図面である。運命エネルギーとは、どの分野に才能を持ち、何が欠けているのかを鑑定手段を構成する大運を用いて判断するためのエネルギーである。各図２２〜図第１工程３０ａ〜第８工程３０ｈまでの手順に沿って行い、図４に示したバイオリズム１２ｂのベースとなる。
【０１６５】
本発明である算命学占いシステム１では、運命エネルギーの数値化する。例えば、図２３に示したように鑑定結果３（２０）セル図２０の陰占２０ｂから導きだすことができる。
【０１６６】
次に、数理法３０による相性鑑定基礎エネルギー算出方法及び（セル番号１１５〜セル番号１１７）の説明を行う。数理法３０とは、図２４〜図３２までの一連の流れで使用する算出方法である。図２４以降に使用した陰占は、図２３に示した陰占２０ｂの最下部に示した１９０５／１／３の場合である。
【０１６７】
図２４〜図３２に示した流れに沿って宿命エネルギーや、年運エネルギーを、鑑定手段によって利用者ごとに演算することで、図６に示したセル図２０のセル番号１１５からセル番号１１７を構成する。
【０１６８】
図６のセル図２０に示したセル番号１１５〜セル番号１１７は、セル番号６とセル番号７の点数を十二大従星早見表から割り出したのが、セル番号１１５である。また図６に示したセル番号７と１０の点数を十二大従星早見表から割り出したのが、セル番号１１６、セル番号５と１０の点数を十二大従星早見表から割り出したのがセル番号１１７である。
【０１６９】
次に、本発明である算命学占いシステム１の鑑定手段を構成する鑑定結果の内容を構成した実施例を説明する。従来の発明である算命学占いシステムの占い師は、多くの種類に及ぶ鑑定結果を口頭で伝えていたため、利用者２の記憶に頼るしかなかった。本発明を構成する鑑定結果は、利用者２のコンピューターの記憶装置にも残すことができるため極めて利便性が高く優れている。以下、課金回線の目安となる料金と合わせ説明の詳細を記載する。
【０１７０】
（１）の表示は、本発明の表紙１１を構成する（１−１）から（１−１１）まで順に記載することができる。例えば、（１）特別人生鑑定〜あなたの人生は決められている！大運鑑定（総合鑑定￥２０００）驚きの大容量！人生全般の運気を大運グラフで詳細に説明、あなたの本質、結婚、健康、守護方位、守護色、親、上司、配偶者、兄弟、友人、気になる項目を全網羅！の表示である。
【０１７１】
次に、（２）から（１４）までは、本発明である算命学占いシステム１のＭＥＮＵの選択画面に記載した内容である。
【０１７２】
（２）恋愛相性鑑定（鑑定料￥３００）〜気になる相性が一目でわかる！〜
あなたの恋愛パターン、相手の恋の本質とは？二人の出会ったときの印象、相性度は？恋愛中の二人の熱愛度と愛し方の分析
【０１７３】
（３）結婚相性鑑定（鑑定料￥３００）〜気になる生活価値観の相違〜
あなたの結婚に対する本音とは？相手の結婚に対する考え方は？恋愛中の二人の愛し方の分析、結婚観についての相性度は？
【０１７４】
（４）このまま結婚しても大丈夫？（鑑定料￥３００）〜人生最大の決断〜
あなたの結婚条件とは？相手の結婚の条件とは？結婚後の生活価値観の相性度は？
【０１７５】
（５）ライバルから恋人を奪いたい（鑑定料￥３００）
〜ライバルからの略奪愛「勝ち組」恋愛術〜
相手の理想のタイプ、ライバルの恋愛傾向、相手に対するアプローチ法
【０１７６】
（６）好きな二人どちらを選べば…（鑑定料￥３００）〜幸せの選択〜
あなたの理想のタイプとは・・？お相手１との基本的相性、お相手２との基本的相性
【０１７７】
（７）理想の相手との幸せな出会いと結婚生活について（鑑定料￥３００）
〜わたしの幸せはいつ来るの？〜
あなたの恋愛の本質は？あなたの理想の相手はズバリこんな人！幸運を呼ぶ出会いの時期は？出会った人との結婚生活は？
【０１７８】
（８）精神とＳＥＸの相性（鑑定料￥３００）〜気になる体の相性・・〜
あなたのＳＥＸの特徴は？相手のＳＥＸの特徴は？精神とＳＥＸの相性度と理想は？
【０１７９】
（９）秘伝！運命の赤い糸で結ばれている人！（鑑定料￥３００）
〜引き寄せる人、引き寄せられる人をズバリ診断〜あなたから見て円のある人の生年月日を秘伝、あなたに対して円のある人を生年月日から秘伝、お互いに引かれ合う縁の生年月日を秘伝、幸運を呼ぶ運命の人を秘伝、お互いに引かれ合う縁の人との結婚生活、幸運を呼ぶ運命の人との結婚生活
【０１８０】
次に、以下の（１０）から（１４）の項目に示すのは、本発明で占うことができる鑑定結果の項目である。
（１０）あなたの２００１年後半の運勢特集！！
（１１）今年の恋愛運（鑑定料￥３００）
（１２）今年のマネー運（鑑定料￥３００）
（１３）今年の仕事運（鑑定料￥３００）
（１４）今年の健康運（鑑定料￥３００）
【０１８１】
−本発明である算命学占いシステム１の「占い装置及び占い方法」で提供する鑑定結果サンプル−となる鑑定項目を次項に示す。主に、算命学占星術〜人生鑑定〜、特別人生鑑定／大運鑑定等のタイトルを表示することができる。以下、鑑定結果を示した文言が先ず表示できる。
【０１８２】
次に、本発明で利用者２が得ることができる鑑定結果の体例を示す。
「占う項目」に沿って、以下、（１−１）中心星で見るあなたの本質、（１−２）自然法によるイメージ、（１−３）青年期の運勢、（１−４）中年期の運勢、（１−５）晩年期の運勢、（１−６）結婚について、（１−７）健康について、（１−８）守護方位、守護色について、（１−９）親、上司について、（１−１０）配偶者について、（１−１１）兄弟、友人の順番に説明をする。
【０１８３】
以下の示す（１−１）−（１−１１）は、回答例であり、提供者３のホストコンピューターから、利用者２のコンピューター装置へインターネット等の通信回線を介し、本発明を構成する鑑定結果を表示した一例である。
【０１８４】
（１−１）の「中心星で見るあなたの本質」の鑑定結果の例である。「中心星で見るあなたの本質」では、「波乱の多い人生を歩む星で放浪ろ改革の気運をもつ運命です。親、兄姉等自分よりも目上の者に縁が薄く、親との死別、生き別れ、親兄姉たちからの支援の無さが特徴で、早くから親もとや生家を離れる運命をもっています。またこのタイプは成人後いつまでも親のもとに居たり、兄姉の加護の下に生活するといつまでたっても開運せず、生涯を不遇の中に過ごすことになります。性格的には地味な方で自己の心の中を、言葉や表情で上手に表現することが出来にくく、行動によって自己表現しようとします。そのために周りの者からみれば、何を考えているのかつかみどころのない人に見えます。
表現力の少ないことは特殊な考え方がそうさせています。物事の観察力が多面的に出来ていて、悪くすれば疑い深い性格になりますが、それだけに表現力が即座に現れて来ないのです。考え方の中に、自分自身で確かめたことのみを受け入れる性質があって、直接に学び、知り、直接に生み出そうとします。そのため自分の身体をその場所まで運び直接に知ろうとする、自力本願の信念に支えられており、座して学び知ると言うように誰かの介入を嫌う性質があります。第三者の意見を聴く事は聴きますが、それによって左右はされないのです。ただその行為と考え方は、現実の社会生活の中で、なかなか実現しづらいものであり、その結果、物事の真実を知り得るめで疑い深く観察するようになります。このことが周りからは、疑い深く見られることがよくあるでしょう。」という鑑定結果を出すことができる。
【０１８５】
（１−２）の「自然法によるイメージ」の鑑定結果の例を示す。「自然法によるイメージ」では、「あなたの干支は「夏の灯火・薫煙香火」です。あなたを自然の情景に例えると『初夏の常緑の樹木』です。常緑の樹は松や杉の巨木を意味します。この時期は樹木が、最も繁茂する季節で、大地に深く根を下ろし安定性が高い状態です。人生としては、誰の力も当てにせず、自力で立つことの出来る質を持っています。そして運が確実に発展・前進する良運の人生になります。若年より中年、さらに晩年に運が開けていきます。安定性が強く、確実な姿が、派手な事を嫌う人が多いため、運の上昇にも派手さが現れません。ゆっくりと発展していきます。また、善人も悪人も問わず、多くの人が集まってきます。特にお年寄りの気持ちが良くわかるので、若いときからお年寄りに好かれるムードを持っています。」という鑑定結果を出すことができる。
【０１８６】
次項に示すのは、（１−１）中心星で見るあなたの本質と（１−２）自然法によるイメージのセルの対応関係並びに種類を示したものである。
【０１８７】
■個人の本質１から、以下健康まで、陽占によって算出できる鑑定結果である。個人の本質とは、個人の生まれ持った性質、考え方、運勢の流れ、宿命等を読みとることができる。→図６のセル番号２０に出る星の意味合いを当てはめる。
【０１８８】
■個人の本質２のように、個人の生まれ持った性質、考え方、運勢の流れ、宿命等を読みとることもできる。図６に示した鑑定結果３（２０）セル図２０のセル番号６，７と対応し、以下、■幼少期→セル番号２３、■中年期→セル番号２４、■晩年期→セル番号２５に出る星の意味を使用することができる。
【０１８９】
また、本発明では図６のセル図２０に示したセル番号は、■結婚・配偶者・セックス→セル番号２２、■子供・部下→セル番号１９、■親・上司→セル番号１８■仕事→セル番号１９の星の意味に当てはめ、鑑定結果を表示することもできる。
【０１９０】
次項目に示した五行の最多を求める、→五季と最多五行の組み合わせより鑑定する。５季とは、陰陽図４の月干支で算出する。算出した月干支は、春、夏、秋、冬、土用に分類したものである。、「五行の最多」の最多とは、図６のセル番号１００〜１０５までの中で最も数が多い５行（木、火、土、金、水）を選択することである。
【０１９１】
即ち、１９０５／０１／０３の男性の場合、図６のセル番号１００からセル番号１０５の中で最も多い５行は、水と木の各２であり同数となる。従って本発明では、のように同数の５行がでた場合には、２種類の鑑定結果を出すか、若しくはセル番号１０６〜セル番号１０８を自動的に加え演算し、鑑定結果をだすことができるものとした。
【０１９２】
健康は、図６のセル図２０に示した鑑定結果もって生まれた体質、予想される疾患、健康状態を読みとる→セル番号５に出る十二支で、十二支表から春、夏、秋、冬、土用の五季を割り出す→セル番号１００〜１０５に出る五行の最多を求める、→五季と最多五行の組み合わせより鑑定文を割り振る。守護神とは、守護神となる方位、色、人、物、行為等を読みとることで、セル番号６と５の干支と守護神配置表により、第一、第二守護神を割り出す。
【０１９３】
運命エネルギーの数値化、（セル番号１１５〜セル番号１１６）の鑑定結果）
ここでかかる図は、図２３〜図３２である。
【０１９４】
本発明で使用する「相性度」は、３種類の方法で鑑定することができる。
出会いの相性の場合は、二人のセル番号１１５の数値の差で鑑定。
恋愛の相性の場合は、二人のセル番号１１６の数値の差で鑑定。
結婚の相性の場合は、二人のセル番号１１７の数値の差で鑑定。
できる。次に「相性度」を％で示した表を説明する。
【０１９５】
算命学の鑑定結果から導かれた、できる相性度の計算式を
次項に示したものである。相性度とは、利用者２である男性や女性の相性を百分率であるパーセンテージで示すことができる。
【０１９６】
恋愛中の相性度は、利用者２のセル図２０のセル番号１１６番と、第３者２ａのセル図２０のセル番号１１６の差を求め、差が０〜±１１の範囲にある場合、恋愛中の相性度である％で変換し表示できる。恋愛中の相性度は、最高が９５％、最低が２５％の範囲で、２５％、から３０％、３５％・・８５％までの５％刻みの数字で表示することができる。なお、相性度が９５％〜２５＆の範囲外でも提供者３は恋愛中の相性度を設定ができる。
【０１９７】
相性度数                      条件
９５％  利用者２のセル番号１１６と第３者２ａのセル番号１１６の差が０
９０％  利用者２のセル番号１１６と第３者２ａのセル番号１１６の差が±１
８０％  利用者２のセル番号１１６と第３者２ａのセル番号１１６の差が±２
７５％  利用者２のセル番号１１６と第３者２ａのセル番号１１６の差が±３
６５％  利用者２のセル番号１１６と第３者２ａのセル番号１１６の差が±４
５５％  利用者２のセル番号１１６と第３者２ａのセル番号１１６の差が±５
５０％  利用者２のセル番号１１６と第３者２ａのセル番号１１６の差が±６
４５％  利用者２のセル番号１１６と第３者２ａのセル番号１１６の差が±７
４０％  利用者２のセル番号１１６と第３者２ａのセル番号１１６の差が±８
３５％  利用者２のセル番号１１６と第３者２ａのセル番号１１６の差が±９
３０％  利用者２のセル番号１１６と第３者２ａのセル番号１１６の差が±１０
２５％  利用者２のセル番号１１６と第３者２ａのセル番号１１６の差が±１１
【０１９８】
出会いの相性度は、利用者２のセル図２０のセル番号１１５番と、第３者２ａのセル図２０のセル番号１１５の差を求め、差が０〜±１１の範囲にある場合、出会いの相性度である％で変換し表示できる。出会いの相性度は、最高が９５％、最低が２５％の範囲で、２５％、から３０％、３５％・・８５％までの５％刻みの数字で表示することができる。なお、相性度が９５％〜２５＆の範囲外でも提供者３は出会いの相性度を設定することができる。
【０１９９】
相性度数        条件
９５％  利用者２のセル番号１１５と第３者２ａのセル番号１１５の差が０
９０％  利用者２のセル番号１１５と第３者２ａのセル番号１１５の差が±１
８０％  利用者２のセル番号１１５と第３者２ａのセル番号１１５の差が±２
７５％  利用者２のセル番号１１５と第３者２ａのセル番号１１５の差が±３
６５％  利用者２のセル番号１１５と第３者２ａのセル番号１１５の差が±４
５５％  利用者２のセル番号１１５と第３者２ａのセル番号１１５の差が±５
５０％  利用者２のセル番号１１５と第３者２ａのセル番号１１５の差が±６
４５％  利用者２のセル番号１１５と第３者２ａのセル番号１１５の差が±７
４０％  利用者２のセル番号１１５と第３者２ａのセル番号１１５の差が±８
３５％  利用者２のセル番号１１５と第３者２ａのセル番号１１５の差が±９
３０％  利用者２のセル番号１１５と第３者２ａのセル番号１１５の差が±１０
２５％  利用者２のセル番号１１５と第３者２ａのセル番号１１５の差が±１１
【０２００】
結婚の相性度は、本例である算命学１の場合、図６に示したセル図２０のセル番号１１７番と、第３者２ａのセル図２０のセル番号１１７の差を求め、差が０〜±１１の範囲にある場合、結婚の相性度である％で変換し表示できる。結婚の相性度は、最高が９５％、最低が２５％の範囲で、２５％、から３０％、３５％・・８５％までの５％刻みの数字で表示することができる。なお、結婚の相性度が９５％〜２５＆の範囲外でも提供者３は結婚の相性度を設定することができる。
【０２０１】
相性度数        条件
９５％  利用者２のセル番号１１７と第３者２ａのセル番号１１７の差が０
９０％  利用者２のセル番号１１７と第３者２ａのセル番号１１７の差が＋１
８０％  利用者２のセル番号１１７と第３者２ａのセル番号１１７の差が＋２
７５％  利用者２のセル番号１１７と第３者２ａのセル番号１１７の差が＋３
６５％  利用者２のセル番号１１７と第３者２ａのセル番号１１７の差が＋４
５５％  利用者２のセル番号１１７と第３者２ａのセル番号１１７の差が＋５
５０％  利用者２のセル番号１１７と第３者２ａのセル番号１１７の差が＋６
４５％  利用者２のセル番号１１７と第３者２ａのセル番号１１７の差が＋７
４０％  利用者２のセル番号１１７と第３者２ａのセル番号１１７の差が＋８
３５％  利用者２のセル番号１１７と第３者２ａのセル番号１１７の差が＋９
３０％  利用者２のセル番号１１７と第３者２ａのセル番号１１７の差が＋１０
２５％  利用者２のセル番号１１７と第３者２ａのセル番号１１７の差が＋１１
【０２０２】
次に、本発明である算命学で鑑定できる「精神と肉体の相性度」と各条件を図６のセル図２０に示した鑑定結果をもとに次項に示す。なお、相性には利用者２の相手となる第３者２ａで主に異性を示す。
【０２０３】
相性度        条件
９５％  利用者２のセル番号６と第３者２ａのセル番号６が和の関係
かつ利用者２のセル番号７と第３者２ａのセル番号７が合or会の関係
かつ利用者２の１７番と第３者２ａの１７番が合致
９０％  利用者２の６番と第３者２ａの６番が和の関係
かつ利用者２のセル番号７と第３者２ａのセル番号７が合or会の関係
かつ利用者２の１セル番号７と第３者２ａの１セル番号７が不一致
８５％  利用者２のセル番号６と第３者２ａのセル番号６が和の関係
かつ利用者２のセル番号７と第３者２ａのセル番号７が比の関係
かつ利用者２の１セル番号７と第３者２ａの１セル番号７が合致
８０％  利用者２のセル番号６と第３者２ａのセル番号６が和の関係
かつ利用者２のセル番号７と第３者２ａのセル番号７が比の関係
かつ利用者２の１セル番号７と第３者２ａの１セル番号７が不一致
７５％  利用者２のセル番号６と第３者２ａのセル番号６が和の関係無し
利用者２のセル番号７と第３者２ａのセル番号７が合or会の関係
かつ利用者２の１セル番号７と第３者２ａの１セル番号７が合致
７０％  利用者２のセル番号６と第３者２ａのセル番号６が和の関係無し
利用者２のセル番号７と第３者２ａのセル番号７が合or会の関係
かつ利用者２の１セル番号７と第３者２ａの１セル番号７が不一致
６５％  利用者２のセル番号６と第３者２ａのセル番号６が和の関係無し
利用者２のセル番号７と第３者２ａのセル番号７が比の関係
かつ利用者２の１セル番号７と第３者２ａの１セル番号７が合致
６０％  利用者２のセル番号６と第３者２ａのセル番号６が和の関係無し
利用者２のセル番号７と第３者２ａのセル番号７が比の関係
かつ利用者２の１セル番号７と第３者２ａの１セル番号７が不一致
５５％  利用者２のセル番号６と第３者２ａのセル番号６が和の関係
かつ利用者２のセル番号７と第３者２ａのセル番号７が冲・害・破の
いずれかの関係
かつ利用者２の１セル番号７と第３者２ａの１セル番号７が合致
５０％  利用者２のセル番号６と第３者２ａのセル番号６が和の関係
かつ利用者２のセル番号７と第３者２ａのセル番号７が冲・害・破の
いずれかの関係
かつ利用者２の１セル番号７と第３者２ａの１セル番号７が不一致
４５％  利用者２のセル番号６と第３者２ａのセル番号６が和の関係無し
かつ利用者２のセル番号７と第３者２ａのセル番号７が冲・害・破の
いずれかの関係
かつ利用者２の１セル番号７と第３者２ａの１セル番号７が合致
４０％  利用者２のセル番号６と第３者２ａのセル番号６が和の関係無し
かつ利用者２のセル番号７と第３者２ａのセル番号７が冲・害・破の
いずれかの関係
かつ利用者２の１セル番号７と第３者２ａの１セル番号７が不一致
【０２０４】
精神と肉体の相性度を算出する上で、「和」の関係とは、図３３に示した干合法３２を用いる。「干」同士の結びつきと変化を表し、相性の良さ等の良い結果を導き出す関係である。「干」同士がこの「和」の関係になるとその質が変化し、良い結果になることを意味する。
【０２０５】
「合ｏｒ会」の関係とは、図３４に示した位相法３３を用い、「支」同士の結びつきと変化を表し、相性の良さ等のよい結果を導き出す関係である。「支」同士の結びつきと変化がこの「和」の関係になるとその質が変化する。上記「和」の関係との相違点は、その質が融合し、結果、前進や発展を意味する。
【０２０６】
「比」の関係とは、図３４の位相法３３を用い、「支」同士の結びつきと変化を表し、自然体を表す関係である。「支」同士の結びつきと変化が、「比」の関係になると一番自然の流れにあった「気」の相性になる。一般的に中庸を意味する。
【０２０７】
「沖、害、破」の関係とは、図３４の位相法３３を用い、「支」同士の結びつきと変化を表し、相性の悪さ等の悪い結果をもたらす関係である。「支」同士が「沖、害、破」の関係になると、分離、衝突、後退、破壊を意味する。特に、「害法」は、健康病気を占う方法であり、「破法」は。精神面の不完全さを意味する。
前項に記載した４法から、刑、沖、害、破、三合会局、半会、支会、比和を導く。
【０２０８】
次に、算命学で鑑定できる「運命的相性度」と各条件を次項に示す。
相性度数        条件
９５％  利用者２のセル番号６と第３者２ａのセル番号６が和の関係
かつ利用者２のセル番号７と第３者２ａのセル番号７が合or会の関係
かつ利用者２の２２番と第３者２ａの２０番が合致
９０％  利用者２のセル番号６と第３者２ａのセル番号６が和の関係
かつ利用者２のセル番号７と検査草ｈ２のセル番号７が合or会の関係
かつ利用者２の２２番と第３者２ａの２０番が不一致
８５％  利用者２のセル番号６と第３者２ａのセル番号６が和の関係
かつ利用者２のセル番号７と第３者２ａのセル番号７が比の関係
かつ利用者２の２２番と第３者２ａの２０番が合致
８０％  利用者２のセル番号６と第３者２ａのセル番号６が和の関係
かつ利用者２のセル番号７と第３者２ａのセル番号７が比の関係
かつ利用者２の２２番と第３者２ａの２０番が不一致
７５％  利用者２のセル番号６と第３者２ａのセル番号６が和の関係無し
利用者２のセル番号７と第３者２ａのセル番号７が合or会の関係
かつ利用者２の２２番と第３者２ａの２０番が合致
７０％  利用者２のセル番号６と第３者２ａのセル番号６が和の関係無し
利用者２のセル番号７と第３者２ａのセル番号７が合or会の関係
かつ利用者２の２２番と第３者２ａの２０番が不一致
６５％  利用者２の６羽の第３者２ａのセル番号６が和の関係無し
利用者２のセル番号７と検査草ｈ２のセル番号７が比の関係
かつ利用者２の２２番と第３者２ａの２０番が合致
【０２０９】
運命的相性度の５５％の場合、２種類の条件によって導きだされる。
５５％の１
利用者２のセル番号６と第３者２ａのセル番号６が和の関係無し
利用者２のセル番号７と第３者２ａのセル番号７が比の関係
かつ利用者２の２２番と第３者２ａの２０番が不一致
５５％の２
利用者２のセル番号６と第３者２ａのセル番号６が和の関係
かつ利用者２のセル番号７と第３者２ａのセル番号７が冲・害・破の
いずれかの関係
かつ利用者２の２２番と第３者２ａの２０番が合致
５０％  利用者２のセル番号６と第３者２ａのセル番号６が和の関係
かつ利用者２のセル番号７と第３者２ａのセル番号７が冲・害・破の
いずれかの関係
かつ利用者２の２２番と第３者２ａの２０番が不一致
４５％  利用者２のセル番号６と第３者２ａのセル番号６が和の関係無し
かつ利用者２のセル番号７と第３者２ａのセル番号７が冲・害・破の
いずれかの関係
かつ利用者２の２２番と第３者２ａの２０番が合致
４０％  利用者２のセル番号６と第３者２ａのセル番号６が和の関係無し
かつ利用者２のセル番号７と第３者２ａのセル番号７が冲・害・破の
いずれかの関係
かつ利用者２の２２番と第３者２ａの２０番が不一致
【０２１０】
（＊１）精神と肉体の相性の場合は、
セル番号６とセル番号７とセル番号１７から判断する。
（＊２）運命的相性の場合は、
セル番号６とセル番号７とセル番号２０セル番号２２から鑑定する。
【０２１１】
利用者２は、特定の条件より検索サーチ機能の有したものもある。任意の日付より条件を検索することによって、相性の良い生年月日をもつ人、夫婦の縁がある生年月日をもつ人等を割り出し、一部公開することもできる。
【０２１２】
次に示すのは、算命学の占いを利用する際、発生する課金料を項目に従って表示したものである。提供者３側のホストコンピューターから、利用者２のコンピューター装置へ、インターネット等の通信回線を介して表示する
【０２１３】
【発明の効果】
本発明である算命学占いシステムは、以上のような構成であるから、以下の効果が得られる。
【０２１４】
第１に、本発明である算命学占いシステムでは、占える項目が多数存在し、インターネット等の通信回線で配信されるシステムである。占い項目には、Ａ：大運鑑定（一鑑定￥２０００）や、秘伝！運命の〜引き寄せる人（一鑑定￥３００）や、占い項目内に含まれる質問項目、例えば、Ａ：大運鑑定（一鑑定￥２０００）内に設けた中心星でみるあなたの本質から・・・Ｊ：秘伝！運命の〜引き寄せる人のように、利用者の目的に応じて占いの内容を選択することができる極めて優れたシステムである。
【０２１５】
第２に、より正確な占いの鑑定をしてもらいたい場合や、利用者２が遠隔地に住んでいる場合、算命学の鑑定士がいる鑑定所や占い装置の設置された場所まで利用者が赴かなくても、インターネット通信回線を有するコンピュータがあれば即座に算命学（商標登録）の専門鑑定を手軽に受けることができる。また、ＣＤ−ＲやＤＶＤ等のソフトウェアとして利用することもできる。
【０２１６】
第３に、本発明である算命学占いシステムの「占い装置及び方法」は、多年度に亘る万年暦を使用し、複雑な計算式で鑑定手段である陽占と陰占から導き出した命式と大運を演算する命式・大運を中央演算処理装置で行うことで、命式・大運も簡素化し、膨大な量に及ぶ算命学の鑑定結果を簡潔にまとめ、精度の高い鑑定結果として、利用者へ提供することができる効果がある。
【図面の簡単な説明】
【図１】  本発明である算命学占いシステムのシステム全体の流れ図である。
【図２】  本発明である算命学占いシステムのシステム全体の流れ図（詳細）である。
【図３】  本発明である算命学占いシステムの入力手段を行う際のメニュー画面である。
【図４】  本発明である算命学占いシステムの第１鑑定結果表である。
【図５】  本発明である算命学占いシステムの第２鑑定結果表である。
【図６】  本発明である算命学占いシステムで命式から求めたセル図である。
【図７】  本発明である算命学占いシステムで鑑定手段のうち大運を鑑定結果を導き出すために使用する十干表である。
【図８】  本発明である算命学占いシステムで鑑定手段のうち大運の鑑定結果を導き出すために使用する十二支表である。
【図９】  本発明である算命学占いシステムの鑑定手段を構成する陰占表である。
【図１０】  本発明である算命学占いシステムの鑑定手段を構成する陰占の演算に使用する万年暦である。
【図１１】  本発明である算命学占いシステムの鑑定手段を構成する陰占表の演算の途中過程で番号１〜番号６を示した陰占表である。
【図１２】  本発明である算命学占いシステムの鑑定手段を構成する陰占表の番号５’と番号６’の演算に使用する天中殺表である。
【図１３】  本発明である算命学占いシステムの鑑定手段を構成する陰占表の演算の途中過程で陰占表の番号７〜番号１５の演算に使用する二十八元表である。
【図１４】  本発明である算命学占いシステムの鑑定手段を構成する陰占表の演算の途中過程で陰占表の番号８〜番号１５の結果を示した陰占表である。
【図１５】  本発明である算命学占いシステムの鑑定手段を構成する陰占表を基に演算した陽占表である。
【図１６】  本発明である算命学占いシステムの鑑定手段を構成する陽占表を人体図に置き換え示した正面図である。
【図１７】  本発明である算命学占いシステムの鑑定手段を構成する陰占表と陰占表を基に演算した陽占表、陽占表で使用する十大主星表と十二大従星の各対応関係を示した対応表である。
【図１８】  本発明である算命学占いシステムの鑑定手段を構成する鑑定結果の陽占表で使用する十大主星表である。
【図１９】  本発明である算命学占いシステムの鑑定手段を構成する鑑定結果の陽占表で使用する十二大従星表である。
【図２０】  本発明である算命学占いシステムの鑑定手段を構成する陽占表の鑑定結果Ａ〜Ｅまでを、十大主星表で求めた鑑定結果である。
【図２１】  本発明である算命学占いシステムの鑑定手段を構成する陽占表の鑑定結果Ｆ〜Ｈまでを、十大主星表と十二大従星で求めた鑑定結果である。
【図２２】  本発明である算命学占いシステムの鑑定手段を構成する陽占表の鑑定結果Ａ〜Ｈまでを示した表である。
【図２３】  本発明である算命学占いシステムで命式から求めた一部拡大図である。
【図２４】  本発明である算命学占いシステムの図６に示したセル図から導き出す事ができる運命エネルギーを算出する際の第１工程である。
【図２５】  本発明である算命学占いシステムの図６に示したセル図から年運エネルギーを算出する際に使用する十二大従星早見表である。
【図２６】  本発明である算命学占いシステムの図６に示したセル図から導き出す事ができる運命エネルギーを算出する際の第２工程である。
【図２７】  本発明である算命学占いシステムの図６に示したセル図から導き出す事ができる運命エネルギーを算出する際の第３工程である。
【図２８】  本発明である算命学占いシステムの図６に示したセル図から導き出す事ができる運命エネルギーを算出する際の第４工程である。
【図２９】  本発明である算命学占いシステムの図６に示したセル図から導き出した運命エネルギーを算出する際の第５工程である。
【図３０】  本発明である算命学占いシステムの図６に示したセル図から導き出した運命エネルギーの２旬目を算出する際の第６工程である。
【図３１】  本発明である算命学占いシステムの図６に示したセル図から導き出した運命エネルギーを２旬目を算出する際の第７工程である。
【図３２】  本発明である算命学占いシステムの図６に示したセル図から導き出した運命エネルギーを２旬目を算出する際の第８工程である。
【図３３】  本発明である算命学占いシステムの鑑定結果を構成する千合法である。
【図３４】  本発明である算命学占いシステムの鑑定結果を構成する位相法である。
【符号の説明】
１      算命学占いシステム
２      利用者
２ａ    第３者
３      提供者
４      ＳＴＡＲＴ
４ａ    ホストコンピューターにアクセス
４ｂ    ＭＥＮＵ画面の送信
４ｃ    ＭＥＮＵの受信
４ｄ    ＭＥＮＵの選択
４ｅ    占い鑑定をする
４ｆ    課金回線に入る
４ｇ    課金回線に入らない
４ｈ    案内等のテキストデータ（ファイル）受信
４ｉ    名前の入力
５      生年月日・性別の入力
５ａ    入力項目が正しいかどうか
５ｂ    陰占、陽占、大運等
６      個人データ（ファイル）の照合
７      判定（鑑定）
７ａ    課金回線から出る
８      テキストデータ（ファイル）
８ａ    鑑定結果のテキストデータ（ファイル）を送信
８ｂ    鑑定結果のテキストデータ（ファイル）を受信
８ｃ    鑑定結果のテキストデータ（ファイル）を取り込み
９      鑑定結果のテキストデータ（ファイル）の出力・表示
１０    ＥＮＤ
１１    表紙
１１ａ  タイトル課金項目
１１ｂ  占い項目
１１ｃ  入力項目
１１ｄ  ボタン
１２    第１鑑定結果表
１２ａ  タイトル
１２ｂ  バイオリズム
１２ｃ  あなたの主星表
１３    第２鑑定結果表
１４    入力項目
１５    陰占表
１５ａ  年干支
１５ｂ  月干支
１５ｃ  日干支
１５ｄ  天支
１５ｅ  地支
１５ｆ  地干
１５ｇ  番号
１５ａ’行
１５ｂ’列
１６    陽占表
１７    天中殺
１８    大運
１９    アドバイス欄
２０    セル図
２０ａ  日付
２０ｂ  陰占
２０ｃ  天中殺
２０ｄ  陽占
２０ｅ  逆順男
２０ｆ  年齢
２０ｇ  干支
２０ｈ  主星（十大主星）
２０ｉ  従星（十二大従星）
２０ｊ  逆順女
２０ｋ  逆年齢
２０ｌ  逆干支
２０ｍ  逆主星
２０ｎ  逆従星
２０ｏ  ５行
２０ｐ  出会い
２０ｑ  恋愛
２０ｒ  結婚
２１    十干表
２１ａ  質
２１ｂ  読み方
２１ｃ  自然に置き換えた質
２２    十二支表
２３    万年暦
２３ａ  年干支
２３ｂ  月干支
２３ｃ  日干支
２３ｄ  1９０４
２３ｅ  甲辰
２３ｆ  丁丑
２３ｇ  丙子
２３ｈ  壬寅
２３ｉ  節入り日
２３ｊ  節入り日
２４    天中殺表
２５    二十八元表
２５ａ  空間
２５ｂ  初元
２５ｃ  中元
２５ｄ  末元
２５ｅ  十二支
２５ｆ  子
２５ｇ  寅
２５ｈ  辰
２６    陽占表
２６ａ  Ａ
２６ｂ  Ｂ
２６ｃ  Ｃ
２６ｄ  Ｄ
２６ｅ  Ｅ
２６ｆ  Ｆ
２６ｇ  Ｇ
２６ｈ  Ｈ
２７    位置関係表
２７ａ  人体図
２７ｂ  対応表
２７ｃ  十大主星
２７ｄ  十二大従星
２７ｆ  位置関係結果表
２７ｇ  場所
２７ｈ  星
２７ｉ  性格・才能
２８    十大主星表
２８ａ  星
２８ｂ  干日
２９    十二大従星表
２９ａ  星
２９ｂ  干日
３０    数理法
３０ａ  第１工程
３０ｂ  第２工程
３０ｃ  第３工程
３０ｄ  第４工程
３０ｅ  第５工程
３０ｆ  第６工程
３０ｇ  第７工程
３０ｈ  第８工程
３１    位相法
３２    干合法
３３    位相法
【図１】
0003783218.tif 000002
【図２】
0003783218.tif 000003
【図３】
0003783218.tif 000004
【図４】
0003783218.tif 000005
【図５】
0003783218.tif 000006
【図６】
0003783218.tif 000007
【図７】
0003783218.tif 000008
【図８】
0003783218.tif 000009
【図９】
0003783218.tif 000010
【図１０】
0003783218.tif 000011
【図１１】
0003783218.tif 000012
【図１２】
0003783218.tif 000013
【図１３】
0003783218.tif 000014
【図１４】
0003783218.tif 000015
【図１５】
0003783218.tif 000016
【図１６】
0003783218.tif 000017
【図１７】
0003783218.tif 000018
【図１８】
0003783218.tif 000019
【図１９】
0003783218.tif 000020
【図２０】
0003783218.tif 000021
【図２１】
0003783218.tif 000022
【図２２】
0003783218.tif 000023
【図２３】
0003783218.tif 000024
【図２４】
0003783218.tif 000025
【図２５】
0003783218.tif 000026
【図２６】
0003783218.tif 000027
【図２７】
0003783218.tif 000028
【図２８】
0003783218.tif 000029
【図２９】
0003783218.tif 000030
【図３０】
0003783218.tif 000031
【図３１】
0003783218.tif 000032
【図３２】
0003783218.tif 000033
【図３３】
0003783218.tif 000034
【図３４】
0003783218.tif 000035